(57)【要約】  ワイヤレス通信のための方法、システム、およびデバイスについて説明する。いくつかのワイヤレス通信システムでは、ユーザ機器(UE)は、基地局との無線リンクの品質を監視(たとえば、無線リンク監視(RLM))するための技法をサポートし得る。UEが、無線リンクの品質が低過ぎると決定する場合、UEは、無線リンク障害(RLF)があると宣言し得、UEは、その基地局と再接続するため、または異なる基地局と接続するためのアクションを取り得る。本明細書で説明するように、UEは、基地局から受信された異なるタイプの複数の基準信号の品質を監視することによって、無線リンクの品質を監視し得る。一例では、UEは、UEによって受信された異なるタイプの基準信号の品質に基づいて、RLMを実行するために、1つまたは複数の特定の基準信号を使用するように、基地局によって構成され得る。
2020532172.tif 000002
【特許請求の範囲】
【請求項１】
ユーザ機器(UE)におけるワイヤレス通信のための方法であって、
前記UEにサービスする基地局から、第1のタイプの基準信号と、第2のタイプの基準信号とを受信するステップと、
第1の信号品質しきい値と、前記UEが無線リンク監視(RLM)関数において、前記第1のタイプの基準信号または前記第2のタイプの基準信号のうちの少なくとも1つに、前記第1の信号品質しきい値を適用することになるとのインジケータとを備える、RLM構成を前記基地局から受信するステップと、
前記第1のタイプの基準信号の第1の信号品質と、前記第2のタイプの基準信号の第2の信号品質とを決定するステップと、
前記RLM関数と、前記第1の信号品質または前記第2の信号品質のうちの少なくとも1つとに少なくとも部分的に基づいて、前記UEが前記基地局との通信のために同期しているか、同期していないかを決定するステップと、
前記UEが同期しているか、同期していないかの前記決定に少なくとも部分的に基づいて、前記基地局と通信するステップとを含む、
方法。
【請求項２】
前記第1の信号品質および前記第2の信号品質のうちの最大信号品質を決定するステップと、
前記最大信号品質を前記第1の信号品質しきい値と比較することに少なくとも部分的に基づいて、前記UEが同期しているか、同期していないかを決定するステップとをさらに含む、
請求項1に記載の方法。
【請求項３】
前記第1の信号品質および前記第2の信号品質に基づいて、最小ブロックエラーレートを決定するステップと、
前記最小ブロックエラーレートを、構成されたブロックエラーレートしきい値と比較することに少なくとも部分的に基づいて、前記UEが同期しているか、同期していないかを決定するステップとをさらに含む、
請求項1に記載の方法。
【請求項４】
前記第1の信号品質および前記第2の信号品質を結合するステップと、
前記結合された信号品質を前記第1の信号品質しきい値と比較することに少なくとも部分的に基づいて、前記UEが同期しているか、同期していないかを決定するステップとをさらに含む、
請求項1に記載の方法。
【請求項５】
前記第1のタイプの基準信号の周期性が周期性しきい値よりも大きいと決定するステップと、
前記第2の信号品質に少なくとも部分的に基づいて、前記UEが同期しているか、同期していないかを決定するステップとをさらに含む、
請求項1に記載の方法。
【請求項６】
前記第2のタイプの基準信号の周期性が周期性しきい値よりも大きいと決定するステップと、
前記第1の信号品質に少なくとも部分的に基づいて、前記UEが同期しているか、同期していないかを決定するステップとをさらに含む、
請求項1に記載の方法。
【請求項７】
前記RLM構成が、第2の信号品質しきい値を備え、前記UEが同期しているか、同期していないかを決定するステップが、
前記第1の信号品質が前記第1の信号品質しきい値を下回るとの決定に少なくとも部分的に基づいて、前記UEが同期していないと決定するステップ、または
前記第1の信号品質が前記第1の信号品質しきい値を下回り、前記第2の信号品質が前記第2の信号品質しきい値を下回るとの決定に少なくとも部分的に基づいて、前記UEが同期していないと決定するステップを含む、
請求項1に記載の方法。
【請求項８】
前記RLM構成が、第2の信号品質しきい値を備え、前記UEが同期しているか、同期していないかを決定するステップが、
前記第1の信号品質が前記第1の信号品質しきい値を上回るとの決定に少なくとも部分的に基づいて、前記UEが同期していると決定するステップ、あるいは
前記第1の信号品質が前記第1の信号品質しきい値を上回るか、または前記第2の信号品質が前記第2の信号品質しきい値を上回るか、または両方であるかの決定に少なくとも部分的に基づいて、前記UEが同期していると決定するステップを含む、
請求項1に記載の方法。
【請求項９】
前記第1のタイプの基準信号が、同期信号を備え、
前記第2のタイプの基準信号が、チャネル状態情報基準信号を備える、
請求項1に記載の方法。
【請求項１０】
前記第1のタイプの基準信号が、ブロードキャストチャネルのための復調基準信号を備え、
前記第2のタイプの基準信号が、UE固有の基準信号を備える、
請求項1に記載の方法。
【請求項１１】
前記第1のタイプの基準信号が、ビームフォーミングされないチャネル状態情報基準信号を備え、
前記第2のタイプの基準信号が、ビームフォーミングされたチャネル状態情報基準信号を備える、
請求項1に記載の方法。
【請求項１２】
ユーザ機器(UE)におけるワイヤレス通信のための装置であって、
前記UEにサービスする基地局から、第1のタイプの基準信号と、第2のタイプの基準信号とを受信する手段と、
第1の信号品質しきい値と、前記UEが無線リンク監視(RLM)関数において、前記第1のタイプの基準信号または前記第2のタイプの基準信号のうちの少なくとも1つに、前記第1の信号品質しきい値を適用することになるとのインジケータとを備える、RLM構成を前記基地局から受信する手段と、
前記第1のタイプの基準信号の第1の信号品質と、前記第2のタイプの基準信号の第2の信号品質とを決定する手段と、
前記RLM関数と、前記第1の信号品質または前記第2の信号品質のうちの少なくとも1つとに少なくとも部分的に基づいて、前記UEが前記基地局との通信のために同期しているか、同期していないかを決定する手段と、
前記UEが同期しているか、同期していないかの前記決定に少なくとも部分的に基づいて、前記基地局と通信する手段とを備える、
装置。
【請求項１３】
前記第1の信号品質および前記第2の信号品質のうちの最大信号品質を決定する手段と、
前記最大信号品質を前記第1の信号品質しきい値と比較することに少なくとも部分的に基づいて、前記UEが同期しているか、同期していないかを決定する手段とをさらに備える、
請求項12に記載の装置。
【請求項１４】
前記第1の信号品質および前記第2の信号品質に基づいて、最小ブロックエラーレートを決定する手段と、
前記最小ブロックエラーレートを、構成されたブロックエラーレートしきい値と比較することに少なくとも部分的に基づいて、前記UEが同期しているか、同期していないかを決定する手段とをさらに備える、
請求項12に記載の装置。
【請求項１５】
前記第1の信号品質および前記第2の信号品質を結合する手段と、
前記結合された信号品質を前記第1の信号品質しきい値と比較することに少なくとも部分的に基づいて、前記UEが同期しているか、同期していないかを決定する手段とをさらに備える、
請求項12に記載の装置。
【請求項１６】
前記第1のタイプの基準信号の周期性が周期性しきい値よりも大きいと決定する手段と、
前記第2の信号品質に少なくとも部分的に基づいて、前記UEが同期しているか、同期していないかを決定する手段とをさらに備える、
請求項12に記載の装置。
【請求項１７】
前記第2のタイプの基準信号の周期性が周期性しきい値よりも大きいと決定する手段と、
前記第1の信号品質に少なくとも部分的に基づいて、前記UEが同期しているか、同期していないかを決定する手段とをさらに備える、
請求項12に記載の装置。
【請求項１８】
前記RLM構成が、第2の信号品質しきい値を備え、前記UEが同期しているか、同期していないかを決定する手段が、
前記第1の信号品質が前記第1の信号品質しきい値を下回るとの決定に少なくとも部分的に基づいて、前記UEが同期していないと決定する手段、または
前記第1の信号品質が前記第1の信号品質しきい値を下回り、前記第2の信号品質が前記第2の信号品質しきい値を下回るとの決定に少なくとも部分的に基づいて、前記UEが同期していないと決定する手段を備える、
請求項12に記載の装置。
【請求項１９】
ユーザ機器(UE)におけるワイヤレス通信のための装置であって、
プロセッサと、
前記プロセッサと電子通信しているメモリと、
前記メモリ内に記憶された命令とを備え、前記命令が、前記プロセッサによって実行されると、前記装置に、
前記UEにサービスする基地局から、第1のタイプの基準信号と、第2のタイプの基準信号とを受信すること、
第1の信号品質しきい値と、前記UEが無線リンク監視(RLM)関数において、前記第1のタイプの基準信号または前記第2のタイプの基準信号のうちの少なくとも1つに、前記第1の信号品質しきい値を適用することになるとのインジケータとを備える、RLM構成を前記基地局から受信すること、
前記第1のタイプの基準信号の第1の信号品質と、前記第2のタイプの基準信号の第2の信号品質とを決定すること、
前記RLM関数と、前記第1の信号品質または前記第2の信号品質のうちの少なくとも1つとに少なくとも部分的に基づいて、前記UEが前記基地局との通信のために同期しているか、同期していないかを決定すること、および
前記UEが同期しているか、同期していないかの前記決定に少なくとも部分的に基づいて、前記基地局と通信することを行わせるように動作可能である、
装置。
【請求項２０】
前記命令が、前記装置に、
前記第1の信号品質および前記第2の信号品質のうちの最大信号品質を決定すること、ならびに
前記最大信号品質を前記第1の信号品質しきい値と比較することに少なくとも部分的に基づいて、前記UEが同期しているか、同期していないかを決定することを行わせるように前記プロセッサによってさらに実行可能である、
請求項19に記載の装置。
【請求項２１】
前記命令が、前記装置に、
前記第1の信号品質および前記第2の信号品質に基づいて、最小ブロックエラーレートを決定すること、ならびに
前記最小ブロックエラーレートを、構成されたブロックエラーレートしきい値と比較することに少なくとも部分的に基づいて、前記UEが同期しているか、同期していないかを決定することを行わせるように前記プロセッサによってさらに実行可能である、
請求項19に記載の装置。
【請求項２２】
前記命令が、前記装置に、
前記第1の信号品質および前記第2の信号品質を結合すること、ならびに
前記結合された信号品質を前記第1の信号品質しきい値と比較することに少なくとも部分的に基づいて、前記UEが同期しているか、同期していないかを決定することを行わせるように前記プロセッサによってさらに実行可能である、
請求項19に記載の装置。
【請求項２３】
前記命令が、前記装置に、
前記第1のタイプの基準信号の周期性が周期性しきい値よりも大きいと決定すること、および
前記第2の信号品質に少なくとも部分的に基づいて、前記UEが同期しているか、同期していないかを決定すること
を行わせるように前記プロセッサによってさらに実行可能である、
請求項19に記載の装置。
【請求項２４】
前記命令が、前記装置に、
前記第2のタイプの基準信号の周期性が周期性しきい値よりも大きいと決定すること、および
前記第1の信号品質に少なくとも部分的に基づいて、前記UEが同期しているか、同期していないかを決定することを行わせるように前記プロセッサによってさらに実行可能である、
請求項19に記載の装置。
【請求項２５】
前記RLM構成が、第2の信号品質しきい値を備え、前記命令が、前記装置に、
前記第1の信号品質が前記第1の信号品質しきい値を下回るとの決定に少なくとも部分的に基づいて、前記UEが同期していないと決定すること、または
前記第1の信号品質が前記第1の信号品質しきい値を下回り、前記第2の信号品質が前記第2の信号品質しきい値を下回るとの決定に少なくとも部分的に基づいて、前記UEが同期していないと決定することを行わせるように前記プロセッサによってさらに実行可能である、
請求項19に記載の装置。
【請求項２６】
前記RLM構成が、第2の信号品質しきい値を備え、前記命令が、前記装置に、
前記第1の信号品質が前記第1の信号品質しきい値を上回るとの決定に少なくとも部分的に基づいて、前記UEが同期していると決定すること、および
前記第1の信号品質が前記第1の信号品質しきい値を上回るか、または前記第2の信号品質が前記第2の信号品質しきい値を上回るか、または両方であるかの決定に少なくとも部分的に基づいて、前記UEが同期していると決定することを行わせるように前記プロセッサによってさらに実行可能である、
請求項19に記載の装置。
【請求項２７】
前記第1のタイプの基準信号が、同期信号を備え、
前記第2のタイプの基準信号が、チャネル状態情報基準信号を備える、
請求項19に記載の装置。
【請求項２８】
前記第1のタイプの基準信号が、ブロードキャストチャネルのための復調基準信号を備え、前記第2のタイプの基準信号が、UE固有の基準信号を備える、
請求項19に記載の装置。
【請求項２９】
前記第1のタイプの基準信号が、ビームフォーミングされないチャネル状態情報基準信号を備え、前記第2のタイプの基準信号が、ビームフォーミングされたチャネル状態情報基準信号を備える、
請求項19に記載の装置。
【請求項３０】
ユーザ機器(UE)におけるワイヤレス通信のためのコードを記憶する非一時的コンピュータ可読媒体であって、前記コードが、
前記UEにサービスする基地局から、第1のタイプの基準信号と、第2のタイプの基準信号とを受信することと、
第1の信号品質しきい値と、前記UEが無線リンク監視(RLM)関数において、前記第1のタイプの基準信号または前記第2のタイプの基準信号のうちの少なくとも1つに、前記第1の信号品質しきい値を適用することになるとのインジケータとを備える、RLM構成を前記基地局から受信することと、
前記第1のタイプの基準信号の第1の信号品質と、前記第2のタイプの基準信号の第2の信号品質とを決定することと、
前記RLM関数と、前記第1の信号品質または前記第2の信号品質のうちの少なくとも1つとに少なくとも部分的に基づいて、前記UEが前記基地局との通信のために同期しているか、同期していないかを決定することと、
前記UEが同期しているか、同期していないかの前記決定に少なくとも部分的に基づいて、前記基地局と通信することとを行うようにプロセッサによって実行可能な命令を備える、
非一時的コンピュータ可読媒体。
【発明の詳細な説明】
【技術分野】
【０００１】
相互参照
本特許出願は、その各々が本出願の譲受人に譲渡された、2018年6月26日に出願された「Radio Link Monitoring Based on Multiple Reference Signals」と題するNagarajaらによる米国特許出願第16/019,214号、および2017年8月18日に出願された「Radio Link Monitoring Based on Multiple Reference Signals」と題するNagarajaらによる米国仮特許出願第62/547,674号の利益を主張する。
【０００２】
以下は、一般にワイヤレス通信に関し、より詳細には、複数の基準信号に基づく無線リンク監視(RLM)に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、ロングタームエボリューション(LTE)システムまたはLTEアドバンスト(LTE-A)システムなどの第4世代(4G)システム、および新無線(NR)システムと呼ばれることがある第5世代(5G)システムが含まれる。これらのシステムは、符号分割多元接続(CDMA(登録商標))、時分割多元接続(TDMA)、周波数分割多元接続(FDMA)、直交周波数分割多元接続(OFDMA)、または離散フーリエ変換拡散OFDM(DFT-S-OFDM)などの技術を採用し得る。
【０００４】
ワイヤレス多元接続通信システムは、場合によってはユーザ機器(UE)として知られていることがある、複数の通信デバイスのための通信を各々が同時にサポートする、いくつかの基地局またはネットワークアクセスノードを含み得る。いくつかのワイヤレス通信システムでは、UEは、セルとの無線リンクの品質を監視(たとえば、RLM)するための技法をサポートし得る。UEが、無線リンクの品質が低過ぎると決定する場合、UEは、無線リンク障害(RLF)があると宣言し得、UEは、いくつかの例では、そのセルと再接続すること、または好適な無線リンクに関連付けられた新しいセルを発見するために、セル選択手順を開始することを試み得る。場合によっては、UEは、特定のタイプの基準信号に基づいて、RLMを実行し得る。しかしながら、そのような基準信号は、基地局によって一貫して送信されないことがあり、いくつかの例では、UEは、RLMを実行するために十分な(または、いずれかの)基準信号へのアクセスを有していないことがある。
【発明の概要】
【課題を解決するための手段】
【０００５】
いくつかのワイヤレス通信システムでは、ユーザ機器(UE)は、基地局との無線リンクの品質を監視(たとえば、無線リンク監視(RLM))するための技法をサポートし得る。UEが、無線リンクの品質が低過ぎると決定する場合、UEは、無線リンク障害(RLF)があると宣言し得、UEは、その基地局と再接続するため、または異なる基地局と接続するためのアクションを取り得る。本明細書で説明するように、UEは、基地局から受信された異なるタイプの複数の基準信号の品質を監視することによって、無線リンクの品質を監視し得る。一例では、UEは、UEによって受信された異なるタイプの基準信号の様々なファクタまたは状態に基づいて、RLMを実行するために、異なるタイプの基準信号のうちの1つまたは複数を使用するように、基地局によって構成され得る。場合によっては、技法は、RLMを拡張し得、したがって、RLFの事例または他のリンク回復手順を低減し得る。
【０００６】
基地局におけるワイヤレス通信のための方法について説明する。方法は、セルに関連付けられた第1のタイプの基準信号および第2のタイプの基準信号を送信するステップと、基地局によってサービスされるUEについて、第1のタイプの基準信号または第2のタイプの基準信号のうちの少なくとも1つに関連付けられた信号品質メトリックを識別するステップと、識別された品質メトリックに少なくとも部分的に基づいて、RLMのために第1のタイプの基準信号、第2のタイプの基準信号、または両方を使用するように、UEを設定するステップとを含み得る。
【０００７】
基地局におけるワイヤレス通信のための装置について説明する。装置は、セルに関連付けられた第1のタイプの基準信号および第2のタイプの基準信号を送信する手段と、基地局によってサービスされるUEについて、第1のタイプの基準信号または第2のタイプの基準信号のうちの少なくとも1つに関連付けられた信号品質メトリックを識別する手段と、識別された品質メトリックに少なくとも部分的に基づいて、RLMのために第1のタイプの基準信号、第2のタイプの基準信号、または両方を使用するように、UEを設定する手段とを含み得る。
【０００８】
基地局におけるワイヤレス通信のための別の装置について説明する。装置は、プロセッサと、プロセッサと電子通信しているメモリと、メモリ内に記憶された命令とを含み得る。命令は、セルに関連付けられた第1のタイプの基準信号および第2のタイプの基準信号を送信すること、基地局によってサービスされるUEについて、第1のタイプの基準信号または第2のタイプの基準信号のうちの少なくとも1つに関連付けられた信号品質メトリックを識別すること、ならびに、識別された品質メトリックに少なくとも部分的に基づいて、RLMのために第1のタイプの基準信号、第2のタイプの基準信号、または両方を使用するように、UEを設定することを、プロセッサに行わせるように動作可能であり得る。
【０００９】
基地局におけるワイヤレス通信のための非一時的コンピュータ可読媒体について説明する。非一時的コンピュータ可読媒体は、セルに関連付けられた第1のタイプの基準信号および第2のタイプの基準信号を送信すること、基地局によってサービスされるUEについて、第1のタイプの基準信号または第2のタイプの基準信号のうちの少なくとも1つに関連付けられた信号品質メトリックを識別すること、ならびに、識別された品質メトリックに少なくとも部分的に基づいて、RLMのために第1のタイプの基準信号、第2のタイプの基準信号、または両方を使用するように、UEを設定することを、プロセッサに行わせるように動作可能な命令を含み得る。
【００１０】
上記で説明した方法、装置、および非一時的コンピュータ可読媒体のいくつかの例は、第1のタイプの基準信号のための信号品質メトリックがしきい値を下回り得ると決定するためのプロセス、特徴、手段、または命令をさらに含み得る。上記で説明した方法、装置、および非一時的コンピュータ可読媒体のいくつかの例は、第1のタイプの基準信号のための信号品質メトリックがしきい値を下回り得るとの決定に少なくとも部分的に基づいて、RLMのために第1のタイプの基準信号および第2のタイプの基準信号を使用するように、UEを設定するためのプロセス、特徴、手段、または命令をさらに含み得る。
【００１１】
上記で説明した方法、装置、および非一時的コンピュータ可読媒体のいくつかの例は、第1のタイプの基準信号に関連付けられた信号品質メトリックがしきい値を上回り得ると決定するためのプロセス、特徴、手段、または命令をさらに含み得る。上記で説明した方法、装置、および非一時的コンピュータ可読媒体のいくつかの例は、第1のタイプの基準信号のための信号品質メトリックがしきい値を上回り得るとの決定に少なくとも部分的に基づいて、RLMのために第1のタイプの基準信号を使用するように、UEを設定するためのプロセス、特徴、手段、または命令をさらに含み得る。
【００１２】
上記で説明した方法、装置、および非一時的コンピュータ可読媒体のいくつかの例は、第1のタイプの基準信号に関連付けられた信号品質メトリックと、第2のタイプの基準信号に関連付けられた信号品質メトリックとの間の差を、しきい値と比較するためのプロセス、特徴、手段、または命令をさらに含み得る。上記で説明した方法、装置、および非一時的コンピュータ可読媒体のいくつかの例は、その差をしきい値と比較した結果に少なくとも部分的に基づいて、RLMのために第1のタイプの基準信号、第2のタイプの基準信号、または両方を使用するように、UEを設定するためのプロセス、特徴、手段、または命令をさらに含み得る。
【００１３】
上記で説明した方法、装置、および非一時的コンピュータ可読媒体のいくつかの例は、第1の信号品質メトリックおよび第2の信号品質メトリックに基づいて、第1のタイプの基準信号に関連付けられた第1のセル品質メトリックと、第2のタイプの基準信号に関連付けられた第2のセル品質メトリックとを決定することであって、第1のセル品質メトリックおよび第2のセル品質メトリックが、レイヤ3(L3)モビリティメトリックを備える、ことを行うためのプロセス、特徴、手段、または命令をさらに含み得る。上記で説明した方法、装置、および非一時的コンピュータ可読媒体のいくつかの例は、第1のタイプの基準信号に関連付けられた第1のセル品質メトリックと、第2のタイプの基準信号に関連付けられた第2のセル品質メトリックとの間の差を、しきい値と比較するためのプロセス、特徴、手段、または命令をさらに含み得る。上記で説明した方法、装置、および非一時的コンピュータ可読媒体のいくつかの例は、その差をしきい値と比較した結果に少なくとも部分的に基づいて、RLMのために第1のタイプの基準信号、第2のタイプの基準信号、または両方を使用するように、UEを設定するためのプロセス、特徴、手段、または命令をさらに含み得る。
【００１４】
上記で説明した方法、装置、および非一時的コンピュータ可読媒体のいくつかの例は、第1のタイプの基準信号の信号品質と、第2のタイプの基準信号の信号品質とを報告するように、UEを設定することであって、第1のタイプの基準信号のための信号品質メトリックが、UEから第1のタイプの基準信号の信号品質の1つまたは複数の報告を受信することに少なくとも部分的に基づいて識別され得る、ことを行うためのプロセス、特徴、手段、または命令をさらに含み得る。
【００１５】
上記で説明した方法、装置、および非一時的コンピュータ可読媒体のいくつかの例は、第1のタイプの基準信号の受信から導出された第1のタイプのサウンディング基準信号(SRS)を送信するように、UEを設定するためのプロセス、特徴、手段、または命令をさらに含み得る。上記で説明した方法、装置、および非一時的コンピュータ可読媒体のいくつかの例は、UEから第1のタイプのSRSを受信するためのプロセス、特徴、手段、または命令をさらに含み得る。上記で説明した方法、装置、および非一時的コンピュータ可読媒体のいくつかの例では、第1のタイプのSRSを受信するために使用されるアンテナポートのセットが、第1のタイプの基準信号を送信するために使用されるアンテナポートのセットと擬似コロケートされ得る。
【００１６】
上記で説明した方法、装置、および非一時的コンピュータ可読媒体のいくつかの例は、第1のタイプのSRSの信号品質を測定するためのプロセス、特徴、手段、または命令をさらに含み得る。上記で説明した方法、装置、および非一時的コンピュータ可読媒体のいくつかの例は、測定された第1のタイプのSRSの信号品質が信号品質しきい値を下回り得ると決定するためのプロセス、特徴、手段、または命令をさらに含み得る。上記で説明した方法、装置、および非一時的コンピュータ可読媒体のいくつかの例は、測定された第1のタイプのSRSの信号品質が信号品質しきい値を下回り得るとの決定に少なくとも部分的に基づいて、RLMのために第2のタイプの基準信号を使用するように、UEを設定するためのプロセス、特徴、手段、または命令をさらに含み得る。
【００１７】
上記で説明した方法、装置、および非一時的コンピュータ可読媒体のいくつかの例は、第1のタイプの基準信号および第2のタイプの基準信号のためのアンテナポート構成の指示を送信するためのプロセス、特徴、手段、または命令をさらに含み得る。上記で説明した方法、装置、および非一時的コンピュータ可読媒体のいくつかの例は、UEが第1のタイプの基準信号および第2のタイプの基準信号を監視するためのリソースの指示を送信するためのプロセス、特徴、手段、または命令をさらに含み得る。上記で説明した方法、装置、および非一時的コンピュータ可読媒体のいくつかの例は、UEが間欠受信(DRX)モードにおいて動作中であり得るとき、RLMのために第2のタイプの基準信号を使用するように、UEを設定するためのプロセス、特徴、手段、または命令をさらに含み得る。
【００１８】
上記で説明した方法、装置、および非一時的コンピュータ可読媒体のいくつかの例では、第1のタイプの基準信号が、同期信号を備え、第2のタイプの基準信号が、チャネル状態情報基準信号を備える。上記で説明した方法、装置、および非一時的コンピュータ可読媒体のいくつかの例では、第1のタイプの基準信号が、ブロードキャストチャネルのための復調基準信号を備え、第2のタイプの基準信号が、UE固有の基準信号を備える。上記で説明した方法、装置、および非一時的コンピュータ可読媒体のいくつかの例では、第1のタイプの基準信号が、ビームフォーミングされないチャネル状態情報基準信号を備え、第2のタイプの基準信号が、ビームフォーミングされたチャネル状態情報基準信号を備える。
【００１９】
UEにおけるワイヤレス通信のための方法について説明する。方法は、UEにサービスする基地局から、第1のタイプの基準信号と、第2のタイプの基準信号とを受信するステップと、第1の信号品質しきい値と、UEがRLM関数において、第1のタイプの基準信号または第2のタイプの基準信号のうちの少なくとも1つに、第1の信号品質しきい値を適用することになるとのインジケータとを備える、RLM構成を、基地局から受信するステップと、第1のタイプの基準信号の第1の信号品質と、第2のタイプの基準信号の第2の信号品質とを決定するステップと、RLM関数と、第1の信号品質または第2の信号品質のうちの少なくとも1つとに少なくとも部分的に基づいて、UEが基地局との通信のために同期しているか、同期していないかを決定するステップと、UEが同期しているか、同期していないかの決定に少なくとも部分的に基づいて、基地局と通信するステップとを含み得る。RLM構成は、RLM関数を含み得、RLM関数は、何の基準信号タイプおよびしきい値をRLMにおいて使用するかを示し得る。
【００２０】
UEにおけるワイヤレス通信のための装置について説明する。装置は、UEにサービスする基地局から、第1のタイプの基準信号と、第2のタイプの基準信号とを受信する手段と、第1の信号品質しきい値と、UEがRLM関数において、第1のタイプの基準信号または第2のタイプの基準信号のうちの少なくとも1つに、第1の信号品質しきい値を適用することになるとのインジケータとを備える、RLM構成を基地局から受信する手段と、第1のタイプの基準信号の第1の信号品質と、第2のタイプの基準信号の第2の信号品質とを決定する手段と、RLM関数と、第1の信号品質または第2の信号品質のうちの少なくとも1つとに少なくとも部分的に基づいて、UEが基地局との通信のために同期しているか、同期していないかを決定する手段と、UEが同期しているか、同期していないかの決定に少なくとも部分的に基づいて、基地局と通信する手段とを含み得る。RLM構成は、RLM関数を含み得、RLM関数は、何の基準信号タイプおよびしきい値をRLMにおいて使用するかを示し得る。
【００２１】
UEにおけるワイヤレス通信のための別の装置について説明する。装置は、プロセッサと、プロセッサと電子通信しているメモリと、メモリ内に記憶された命令とを含み得る。命令は、UEにサービスする基地局から、第1のタイプの基準信号と、第2のタイプの基準信号とを受信すること、第1の信号品質しきい値と、UEがRLM関数において、第1のタイプの基準信号または第2のタイプの基準信号のうちの少なくとも1つに、第1の信号品質しきい値を適用することになるとのインジケータとを備える、RLM構成を基地局から受信すること、第1のタイプの基準信号の第1の信号品質と、第2のタイプの基準信号の第2の信号品質とを決定すること、RLM関数と、第1の信号品質または第2の信号品質のうちの少なくとも1つとに少なくとも部分的に基づいて、UEが基地局との通信のために同期しているか、同期していないかを決定すること、および、UEが同期しているか、同期していないかの決定に少なくとも部分的に基づいて、基地局と通信することを、プロセッサに行わせるように動作可能であり得る。RLM構成は、RLM関数を含み得、RLM関数は、何の基準信号タイプおよびしきい値をRLMにおいて使用するかを示し得る。
【００２２】
UEにおけるワイヤレス通信のための非一時的コンピュータ可読媒体について説明する。非一時的コンピュータ可読媒体は、UEにサービスする基地局から、第1のタイプの基準信号と、第2のタイプの基準信号とを受信すること、第1の信号品質しきい値と、UEがRLM関数において、第1のタイプの基準信号または第2のタイプの基準信号のうちの少なくとも1つに、第1の信号品質しきい値を適用することになるとのインジケータとを備える、RLM構成を基地局から受信すること、第1のタイプの基準信号の第1の信号品質と、第2のタイプの基準信号の第2の信号品質とを決定すること、RLM関数と、第1の信号品質または第2の信号品質のうちの少なくとも1つとに少なくとも部分的に基づいて、UEが基地局との通信のために同期しているか、同期していないかを決定すること、および、UEが同期しているか、同期していないかの決定に少なくとも部分的に基づいて、基地局と通信することを、プロセッサに行わせるように動作可能な命令を含み得る。RLM構成は、RLM関数を含み得、RLM関数は、何の基準信号タイプおよびしきい値をRLMにおいて使用するかを示し得る。
【００２３】
上記で説明した方法、装置、および非一時的コンピュータ可読媒体のいくつかの例は、第1の信号品質および第2の信号品質のうちの最大信号品質を決定するためのプロセス、特徴、手段、または命令をさらに含み得る。上記で説明した方法、装置、および非一時的コンピュータ可読媒体のいくつかの例は、最大信号品質を第1の信号品質しきい値と比較することに少なくとも部分的に基づいて、UEが同期していることがあるか、同期していないことがあるかを決定するためのプロセス、特徴、手段、または命令をさらに含み得る。
【００２４】
上記で説明した方法、装置、および非一時的コンピュータ可読媒体のいくつかの例は、第1の信号品質および第2の信号品質に基づいて、最小ブロックエラーレートを決定するためのプロセス、特徴、手段、または命令をさらに含み得る。上記で説明した方法、装置、および非一時的コンピュータ可読媒体のいくつかの例は、最小ブロックエラーレートを、構成されたブロックエラーレートしきい値と比較することに少なくとも部分的に基づいて、UEが同期していることがあるか、同期していないことがあるかを決定するためのプロセス、特徴、手段、または命令をさらに含み得る。
【００２５】
上記で説明した方法、装置、および非一時的コンピュータ可読媒体のいくつかの例は、第1の信号品質および第2の信号品質を結合するためのプロセス、特徴、手段、または命令をさらに含み得る。上記で説明した方法、装置、および非一時的コンピュータ可読媒体のいくつかの例は、結合された信号品質を第1の信号品質しきい値と比較することに少なくとも部分的に基づいて、UEが同期していることがあるか、同期していないことがあるかを決定するためのプロセス、特徴、手段、または命令をさらに含み得る。
【００２６】
上記で説明した方法、装置、および非一時的コンピュータ可読媒体のいくつかの例は、第1のタイプの基準信号の周期性が周期性しきい値よりも大きくなり得ると決定するためのプロセス、特徴、手段、または命令をさらに含み得る。上記で説明した方法、装置、および非一時的コンピュータ可読媒体のいくつかの例は、第2の信号品質に少なくとも部分的に基づいて、UEが同期していることがあるか、同期していないことがあるかを決定するためのプロセス、特徴、手段、または命令をさらに含み得る。
【００２７】
上記で説明した方法、装置、および非一時的コンピュータ可読媒体のいくつかの例は、第2のタイプの基準信号の周期性が周期性しきい値よりも大きくなり得ると決定するためのプロセス、特徴、手段、または命令をさらに含み得る。上記で説明した方法、装置、および非一時的コンピュータ可読媒体のいくつかの例は、第1の信号品質に少なくとも部分的に基づいて、UEが同期していることがあるか、同期していないことがあるかを決定するためのプロセス、特徴、手段、または命令をさらに含み得る。
【００２８】
上記で説明した方法、装置、および非一時的コンピュータ可読媒体のいくつかの例では、RLM構成が、第2の信号品質しきい値を備え、UEが同期していることがあるか、同期していないことがあるかを決定することが、第1の信号品質が第1の信号品質しきい値を下回り得るとの決定に少なくとも部分的に基づいて、UEが同期していないことがあると決定すること、または、第1の信号品質が第1の信号品質しきい値を下回り得、第2の信号品質が第2の信号品質しきい値を下回り得るとの決定に少なくとも部分的に基づいて、UEが同期していないことがあると決定することを含む。
【００２９】
上記で説明した方法、装置、および非一時的コンピュータ可読媒体のいくつかの例では、RLM構成が、第2の信号品質しきい値を備え、UEが同期していることがあるか、同期していないことがあるかを決定することが、第1の信号品質が第1の信号品質しきい値を上回り得るとの決定に少なくとも部分的に基づいて、UEが同期していることがあると決定すること、あるいは、第1の信号品質が第1の信号品質しきい値を上回り得るか、または第2の信号品質が第2の信号品質しきい値を上回り得るか、または両方であるかの決定に少なくとも部分的に基づいて、UEが同期していることがあると決定することを含む。
【００３０】
上記で説明した方法、装置、および非一時的コンピュータ可読媒体のいくつかの例では、第1のタイプの基準信号が、同期信号を備え、第2のタイプの基準信号が、チャネル状態情報基準信号を備える。上記で説明した方法、装置、および非一時的コンピュータ可読媒体のいくつかの例では、第1のタイプの基準信号が、ブロードキャストチャネルのための復調基準信号を備え、第2のタイプの基準信号が、UE固有の基準信号を備える。上記で説明した方法、装置、および非一時的コンピュータ可読媒体のいくつかの例では、第1のタイプの基準信号が、ビームフォーミングされないチャネル状態情報基準信号を備え、第2のタイプの基準信号が、ビームフォーミングされたチャネル状態情報基準信号を備える。
【図面の簡単な説明】
【００３１】
【図１】本開示の様々な態様による、複数の基準信号に基づく無線リンク監視(RLM)をサポートするワイヤレス通信システムの一例を示す図である。
【図２】本開示の様々な態様による、複数の基準信号に基づく無線リンク監視(RLM)をサポートするワイヤレス通信システムの一例を示す図である。
【図３】本開示の様々な態様による、基準信号の送信を示すタイミング図の一例を示す図である。
【図４】本開示の様々な態様による、DRXサイクルの一例を示す図である。
【図５】本開示の様々な態様による、複数の基準信号に基づくRLMをサポートするシステムにおけるプロセスフローの一例を示す図である。
【図６】本開示の様々な態様による、複数の基準信号に基づくRLMをサポートするデバイスのブロック図である。
【図７】本開示の様々な態様による、複数の基準信号に基づくRLMをサポートするデバイスのブロック図である。
【図８】本開示の様々な態様による、複数の基準信号に基づくRLMをサポートするデバイスのブロック図である。
【図９】本開示の様々な態様による、複数の基準信号に基づくRLMをサポートする基地局を含むシステムのブロック図である。
【図１０】本開示の様々な態様による、複数の基準信号に基づくRLMをサポートするデバイスのブロック図である。
【図１１】本開示の様々な態様による、複数の基準信号に基づくRLMをサポートするデバイスのブロック図である。
【図１２】本開示の様々な態様による、複数の基準信号に基づくRLMをサポートするユーザ機器(UE)を含むシステムのブロック図である。
【図１３】本開示の様々な態様による、複数の基準信号に基づくRLMをサポートするデバイスのための方法を示す図である。
【発明を実施するための形態】
【００３２】
いくつかのワイヤレス通信システムでは、ユーザ機器(UE)は、セルとの通信のために使用される無線リンクの品質を監視するための技法をサポートし得る。UEが、無線リンク障害(RLF)があることを検出する場合、UEは、そのセルとの接続を回復するための適切なアクションを取るか、または好適な無線リンクをもつ異なるセルの探索を開始し得る。追加または代替として、UEは、UEのための構成されたビームの受信の損失を検出し得、その場合、UEは、通信のためのビームを再確立するために、ビーム回復プロセスを実行し得る。場合によっては、無線リンク品質は、ダウンリンク制御チャネル(たとえば、LTEシステムでは物理ダウンリンク制御チャネル(PDCCH)、およびNRシステム(または、5Gシステム)ではNR-PDCCH)の信頼性に関連付けられ得る。すなわち、UE115は、セルとの無線リンクの品質を決定するために、セルから受信されたPDCCHの信頼性を監視し得る。他の場合には、無線リンク品質は、セルから受信された特定のタイプの基準信号の品質に関連付けられ得る。すなわち、UE115は、セルとの無線リンクの品質を決定するために、セルから受信された基準信号の品質を監視し得る。
【００３３】
しかしながら、いくつかのワイヤレス通信システム(たとえば、第5世代(5G)システム)では、UEが、PDCCHの信頼性、または特定のタイプの基準信号の品質を監視することによって、無線リンクの品質を監視することが困難であり得る。詳細には、システムは、共通基準信号(CRS)などの基準信号の連続送信をサポートしないことがあり、システムは、間欠送信ウィンドウを有し得る。したがって、UEは、連続的に送信された基準信号の品質を監視することによって、無線リンクの品質を一貫して監視することが可能ではないことがある。同様に、PDCCH上のダウンリンク送信は散発的であり得、UEは、PDCCHの信頼性を監視することによって、無線リンクの品質を一貫して監視することが可能ではないことがある。追加として、UEは、セルがPDCCH上で送信中であり得るか否かを知らないことがあり、結果として、UEは、無線リンクの品質を決定するために、PDCCH上で信号を受信することが可能ではないことがある。
【００３４】
そのような場合、UEは、RLMを実行する目的のために、セルにPDCCH送信または基準信号送信を要求し得る。しかしながら、これらの送信は、ワイヤレス通信システムにおいて不必要なオーバーヘッドを引き起こし得る。本明細書で説明するように、UEは、セルに追加の送信を要求することなしに、RLMを実行するための効率的な技法をサポートし得る。一態様では、UEは、異なるタイプの複数の基準信号(たとえば、同期信号、またはチャネル状態情報基準信号(CSI-RS))に基づいて、無線リンクの品質の測定を実行するように構成され得る。異なるタイプの基準信号のうちの少なくとも1つが、比較的頻繁に送信され得るので、UEは、セルとの無線リンクの品質を一貫して監視することが可能であるために十分な基準信号へのアクセスを有し得る。
【００３５】
上記で紹介した本開示の態様について、以下でワイヤレス通信システムの文脈において説明する。次いで、複数の基準信号に基づくRLMをサポートするプロセスおよびシグナリング交換の例について説明する。本開示の態様について、複数の基準信号に基づくRLMに関する装置図、システム図、およびフローチャートによってさらに示し、それらを参照しながら説明する。
【００３６】
図1は、本開示の様々な態様による、複数の基準信号に基づくRLMをサポートするワイヤレス通信システム100の一例を示す。いくつかの例では、ワイヤレス通信システム100は、ロングタームエボリューション(LTE)ネットワーク、LTEアドバンスト(LTE-A)ネットワーク、または5Gネットワークであり得る。場合によっては、ワイヤレス通信システム100は、拡張ブロードバンド通信、超高信頼(たとえば、ミッションクリティカル)通信、低レイテンシ通信、または低コストで低複雑度のデバイスを用いた通信をサポートし得る。
【００３７】
基地局105は、1つまたは複数の基地局アンテナを介してUE115とワイヤレスに通信することがある。本明細書で説明する基地局105は、基地トランシーバ局、無線基地局、アクセスポイント、無線トランシーバ、ノードB、eノードB(eNB)、次世代ノードBもしくはギガノードB(そのいずれもgNBと呼ばれることがある)、ホームノードB、ホームeノードB、または何らかの他の好適な用語を含むことがあり、またはそのように当業者によって呼ばれることがある。ワイヤレス通信システム100は、異なるタイプの基地局105(たとえば、マクロ基地局またはスモールセル基地局)を含み得る。本明細書で説明するUE115は、マクロeNB、スモールセルeNB、gNB、中継基地局などを含む、様々なタイプの基地局105およびネットワーク機器と通信することが可能であり得る。
【００３８】
各基地局105は、様々なUE115との通信がサポートされる特定の地理的カバレージエリア110に関連付けられ得る。各基地局105は、通信リンク125を介してそれぞれの地理的カバレージエリア110のための通信カバレージを提供し得、基地局105とUE115との間の通信リンク125は、1つまたは複数のキャリアを利用し得る。ワイヤレス通信システム100において示される通信リンク125は、UE115から基地局105へのアップリンク送信または基地局105からUE115へのダウンリンク送信を含むことがある。ダウンリンク送信は、順方向リンク送信と呼ばれることもあり、アップリンク送信は、逆方向リンク送信と呼ばれることもある。
【００３９】
基地局105のための地理的カバレージエリア110は、地理的カバレージエリア110の一部分のみを構成するセクタに分割され得、各セクタはセルに関連付けられ得る。たとえば、各基地局105は、マクロセル、スモールセル、ホットスポット、もしくは他のタイプのセル、またはそれらの様々な組合せに通信カバレージを提供し得る。いくつかの例では、基地局105は、移動可能であり得、したがって、移動する地理的カバレージエリア110に通信カバレージを提供し得る。いくつかの例では、異なる技術に関連付けられた異なる地理的カバレージエリア110が重複することがあり、異なる技術に関連付けられた重複する地理的カバレージエリア110は、同じ基地局105によって、または異なる基地局105によってサポートされ得る。ワイヤレス通信システム100は、たとえば、異なるタイプの基地局105が様々な地理的カバレージエリア110にカバレージを提供する、異種LTE/LTE-Aまたは5Gネットワークを含み得る。
【００４０】
「セル」という用語は、基地局105と(たとえば、キャリア上で)通信するために使用される論理通信エンティティを指し、同じまたは異なるキャリアを介して動作する近隣セルを区別するための識別子(たとえば、物理セル識別子(PCID)、仮想セル識別子(VCID))に関連付けられ得る。いくつかの例では、キャリアは、複数のセルをサポートすることができ、異なるセルは、異なるタイプのデバイスにアクセスを提供し得る異なるプロトコルタイプ(たとえば、マシンタイプ通信(MTC)、狭帯域モノのインターネット(NB-IoT)、拡張型モバイルブロードバンド(eMBB)、またはその他)に従って構成され得る。場合によっては、「セル」という用語は、それを介して論理エンティティが動作する地理的カバレージエリア110の一部分(たとえば、セクタ)を指すことがある。
【００４１】
UE115は、ワイヤレス通信システム100の全体にわたって分散され得、各UE115は、固定またはモバイルであり得る。UE115はまた、モバイルデバイス、ワイヤレスデバイス、リモートデバイス、ハンドヘルドデバイス、もしくは加入者デバイス、または何らかの他の好適な用語で呼ばれることもあり、その場合、「デバイス」もまた、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなど、パーソナル電子デバイスであり得る。いくつかの例では、UE115はまた、アプライアンス、車両、メーターなどの様々な物品において実装され得る、ワイヤレスローカルループ(WLL)局、モノのインターネット(IoT)デバイス、あらゆるモノのインターネット(IoE)デバイス、またはMTCデバイスなどを指すこともある。
【００４２】
基地局105は、コアネットワーク130と通信し、互いと通信し得る。たとえば、基地局105は、バックホールリンク132を通して(たとえば、S1または他のインターフェースを介して)コアネットワーク130とインターフェースし得る。基地局105は、バックホールリンク134上で(たとえば、X2または他のインターフェースを介して)を介して、直接(たとえば、基地局105間で直接)または間接的に(たとえば、コアネットワーク130を介して)のいずれかで互いと通信し得る。
【００４３】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、発展型パケットコア(EPC)であってよく、発展型パケットコア(EPC)は、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含み得る。MMEは、EPCに関連付けられた基地局105によってサービスされるUE115のためのモビリティ、認証、およびベアラ管理など、非アクセス層(たとえば、制御プレーン)機能を管理し得る。ユーザIPパケットは、それ自体がP-GWに接続され得るS-GWを通して転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００４４】
場合によっては、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、場合によっては、論理チャネルを介して通信するためのパケットセグメント化および再アセンブリを実行し得る。媒体アクセス制御(MAC)レイヤは、優先度の処理およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルが物理チャネルにマッピングされ得る。
【００４５】
場合によっては、基地局105またはUE115のアンテナは、送信または受信ビームフォーミングをサポートし得る、1つまたは複数のアンテナアレイ内に位置し得る。空間フィルタリング、指向性送信、または指向性受信と呼ばれることもあるビームフォーミングは、送信デバイスと受信デバイスとの間の空間パスに沿って、アンテナビーム(たとえば、送信ビームまたは受信ビーム)を整形またはステアリングするために、送信デバイスまたは受信デバイス(たとえば、基地局105またはUE115)において使用され得る、信号処理技法である。ビームフォーミングは、アンテナアレイに対して特定の向きにおいて伝搬する信号が強め合う干渉を受け、他の信号が弱め合う干渉を受けるように、アンテナアレイのアンテナ要素を介して通信された信号を結合することによって達成され得る。アンテナ要素を介して通信された信号の調整は、送信デバイスまたは受信デバイスが、デバイスに関連付けられたアンテナ要素の各々を介して搬送された信号に、いくつかの振幅および位相オフセットを適用することを含み得る。アンテナ要素の各々に関連付けられた調整は、(たとえば、送信デバイスもしくは受信デバイスのアンテナアレイに対して、または何らかの他の向きに対して)特定の向きに関連付けられたビームフォーミング重みセットによって定義され得る。
【００４６】
一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)が、基地局105によって、異なる方向において複数回送信され得、この送信は、信号が、送信の異なる方向に関連付けられた異なるビームフォーミング重みセットに従って送信されることを含み得る。異なるビーム方向における送信は、基地局105による後続の送信および/または受信のためのビーム方向を(たとえば、基地局105、またはUE115などの受信デバイスによって)識別するために使用され得る。特定の受信デバイスに関連付けられたデータ信号など、いくつかの信号は、基地局105によって、単一のビーム方向(たとえば、UE115などの受信デバイスに関連付けられた方向)において送信され得る。
【００４７】
いくつかの例では、単一のビーム方向に沿った送信に関連付けられたビーム方向は、異なるビーム方向において送信された信号に少なくとも部分的に基づいて決定され得る。たとえば、UE115は、基地局105によって異なる方向において送信された信号のうちの1つまたは複数を受信し得、UE115は、最高の信号品質とともに受信した信号の指示、または別様の許容信号品質を、基地局105に報告し得る。これらの技法について、基地局105によって1つまたは複数の方向において送信された信号に関して説明するが、UE115は、異なる方向において複数回、信号を送信するため(たとえば、UE115による後続の送信または受信のためのビーム方向を識別するため)、または単一の方向において信号を送信するため(たとえば、受信デバイスにデータを送信するため)の同様の技法を採用し得る。
【００４８】
受信デバイス(たとえば、ミリメートル波(mmW)受信デバイスの一例であり得るUE115)は、同期信号、基準信号、ビーム選択信号、または他の制御信号など、様々な信号を基地局105から受信するとき、複数の受信ビームを試み得る。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれも、異なる受信ビームまたは受信方向に従った「リスニング」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従ったリスニングに少なくとも部分的に基づいて決定されたビーム方向(たとえば、複数のビーム方向に従ったリスニングに少なくとも部分的に基づいて、最高信号強度、最高信号対雑音(SNR)比、または別様の許容信号品質を有すると決定されたビーム方向)において整合され得る。
【００４９】
ワイヤレス通信システム100では、UE115は、セルとの通信のために使用される無線リンクまたはビームの品質を監視するための技法をサポートし得る。UE115が、無線リンク障害(RLF)があることを検出する場合、UE115は、セルとの接続を回復するための適切なアクション(たとえば、ビーム回復)を取るか、または好適な無線リンクをもつ異なるセルの探索を開始し得る。場合によっては、無線リンク品質は、ダウンリンク制御チャネル(たとえば、LTEシステムでは物理ダウンリンク制御チャネル(PDCCH)、およびNRシステム(または、5Gシステム)ではNR-PDCCH)の信頼性に関連付けられ得る。すなわち、UE115は、セルとの無線リンクの品質を決定するために、セルから受信されたPDCCHの信頼性を監視し得る。他の場合には、無線リンク品質は、セルから受信された特定のタイプの基準信号の品質に関連付けられ得る。すなわち、UE115は、セルとの無線リンクの品質を決定するために、セルから受信された基準信号の品質を監視し得る。
【００５０】
しかしながら、いくつかのワイヤレス通信システム(たとえば、5Gシステム)では、PDCCH送信の存在が知られていないことがあり、連続的に送信される共通基準信号がないことがあるので、UEが無線リンクまたはビームの品質を監視することが困難であり得る。詳細には、特定のタイプの基準信号の送信は散発的であり得、UE115は、特定のタイプの基準信号の品質を監視することによって、無線リンクの品質を一貫して監視することが可能ではないことがある。同様に、PDCCH上のダウンリンク送信は散発的であり得、UE115は、PDCCHの信頼性を監視することによって、無線リンクの品質を一貫して監視することが可能ではないことがある。追加として、UE115は、セルがPDCCH上で送信中であり得るか否かを知らないことがあり、結果として、UE115は、無線リンクの品質を決定するために、PDCCH上で信号を受信することが可能ではないことがある。
【００５１】
そのような場合、UE115は、RLMを実行する目的のために、セルにPDCCH送信または基準信号送信を要求し得る。しかしながら、PDCCH送信または基準信号送信のための要求の送信は、ワイヤレス通信システムにおいて不必要なオーバーヘッドを引き起こし得る。本明細書で説明するように、ワイヤレス通信システム100におけるUE115は、セルに追加の送信を要求することなしに、したがって、ワイヤレス通信システム100におけるオーバーヘッドを最小限に抑える、RLMを実行するための効率的な技法をサポートし得る。一態様では、UE115は、異なるタイプの複数の基準信号(たとえば、同期信号、またはチャネル状態情報基準信号(CSI-RS))に基づいて、無線リンクまたはビームの品質の測定を実行するように構成され得る。そのような異なるタイプの基準信号は、比較的頻繁に送信され得るので、UE115は、セルのための無線リンクまたは構成されたビームの品質を一貫して監視することが可能であり得る。
【００５２】
図2は、本開示の様々な態様による、複数の基準信号に基づくRLMをサポートするワイヤレス通信システム200の一例を示す。ワイヤレス通信システム200は、図1を参照しながら説明した基地局105の一例であり得る、基地局105-aを含む。ワイヤレス通信システム200はまた、図1を参照しながら説明したUE115の一例であり得る、UE115-aを含む。基地局105-aは、カバレージエリア110-a内のUE115(UE115-aを含む)に通信カバレージを提供し得る。
【００５３】
場合によっては、基地局105-aは、カバレージエリア110-a内の1つまたは複数のUE115に、第1のタイプの基準信号205と、第2のタイプの基準信号210とを送信(または、ブロードキャスト)し得る。図2の例では、第1のタイプの基準信号は、同期信号(たとえば、NR同期信号(NR-SS))であり得、第2のタイプの基準信号は、CSI-RSであり得る。他の例では、第1のタイプの基準信号は、復調基準信号であり得、第2のタイプの基準信号は、UE固有の基準信号であり得る。また他の例では、第1のタイプの基準信号は、ビームフォーミングされない基準信号(たとえば、ビームフォーミングされないCSI-RS)であり得、第2のタイプの基準信号は、ビームフォーミングされた基準信号(たとえば、ビームフォーミングされたCSI-RS)であり得る。基地局105-aは、周期的に、非周期的に、または半永続的に、第1のタイプの基準信号および/または第2のタイプの基準信号を送信し得る。たとえば、NR-SSは、5、10、20、40、または80msごとであり得る同期周期性に従って送信され得るが、CSI-RSは、異なる周期性における発見基準信号(DRS)送信において送信され得る。場合によっては、CSI-RSはまた、UEへの制御またはデータ送信においても存在し得る。
【００５４】
基地局105-aは、UE115-aがこれらの基準信号を受信するために使用するためのアンテナポートの数の指示を送信し得る。追加として、基地局105-aは、UE115-aがこれらのタイプの基準信号を監視するためのリソース(たとえば、時間リソースおよび周波数リソース)の指示を送信し得る。UE115-aが第1のタイプの基準信号および第2のタイプの基準信号を受信すると、UE115-aは、第1のタイプの基準信号205、第2のタイプの基準信号210、または両方に基づいて、RLMを実行し得る。場合によっては、基地局105-aは、UE115-aによって受信された異なるタイプの基準信号の品質に基づいて、RLMのために特定のタイプの基準信号を使用するように、UE115-aを設定し得る。すなわち、基地局105-aは、UE115-aによって受信された異なるタイプの基準信号に関連付けられた信号品質メトリックに基づいて、RLMのために特定のタイプの基準信号を使用するように、UE115-aを設定し得る。
【００５５】
一例では、基地局105-aは、UE115-aから受信された信号品質報告に基づいて、UE115-aによって受信された特定の基準信号のための信号品質メトリックを識別し得る。基地局105-aは、第1のタイプの基準信号および/または第2のタイプの基準信号のための信号品質(たとえば、基準信号受信電力(RSRP)、基準信号受信品質(RSRQ)、SNRなど)を報告するように、UE115-aを設定し得る。場合によっては、基地局105-aに信号品質を報告するための構成は、UE115-aにおいてビーム管理を担う下位レイヤ(たとえば、レイヤ1(L1)またはレイヤ2(L2))の構成であり得る。他の場合には、基地局105-aに信号品質を報告するための構成は、UE115-aにおいてモビリティを担う上位レイヤ(たとえば、レイヤ3(L3))の構成であり得る。基地局105-aは、周期的に、非周期的に、半永続的に、またはイベントベーストリガに基づいて、これらの基準信号の信号品質を報告するように、UE115-aを設定し得る。基地局105-aがUE115-aから信号品質報告を受信すると、基地局105-aは、RLM報告のためのUE115-aのための構成を修正し得る。
【００５６】
いくつかの態様では、基地局105-aは、1つまたは複数のタイプの基準信号の信号品質メトリックを、1つまたは複数のしきい値と比較することに基づいて、RLMのために特定の基準信号を使用するように、UE115-aを設定し得る。たとえば、基地局105-aが、(たとえば、信号品質報告に基づいて決定された)第1のタイプの基準信号205のための信号品質メトリックがしきい値を下回ると決定する場合、基地局105-aは、RLMのために第1のタイプの基準信号205および第2のタイプの基準信号210を使用するように、UE115-aを設定し得る。代替的に、基地局105-aが、第1のタイプの基準信号205のための信号品質メトリックがしきい値を上回ると決定する場合、基地局105-aは、RLMのために第1のタイプの基準信号205を使用するように、UE115-aを設定し得る。
【００５７】
他の態様では、基地局105-aは、異なるタイプの基準信号の信号品質メトリックの比較に基づいて、RLMのために特定の基準信号を使用するように、UE115-aを設定し得る。たとえば、基地局105-aは、第1のタイプの基準信号205の信号品質が、第2のタイプの基準信号210の信号品質よりも実質的に低いか否かの決定に基づいて、RLMのために第1のタイプの基準信号205、第2のタイプの基準信号210、または両方を使用するように、UE115-aを設定し得る。場合によっては、基地局105-aは、第1のタイプの基準信号205に関連付けられた信号品質メトリックと、第2のタイプの基準信号210に関連付けられた信号品質メトリックとの間の差を識別し得、基地局105-aは、その差をしきい値と比較し得る。
【００５８】
基地局105-aが、第1のタイプの基準信号205の信号品質メトリックと第2のタイプの基準信号210の信号品質メトリックとの間の差が、しきい値を上回ると決定する場合、基地局105-aは、RLMのために第1のタイプの基準信号205および第2のタイプの基準信号210を使用するように、UE115-aを設定し得る。代替的に、基地局105-aが、第1のタイプの基準信号205の信号品質メトリックと第2のタイプの基準信号210の信号品質メトリックとの間の差が、しきい値を下回ると決定する場合、基地局105-aは、RLMのために第1のタイプの基準信号205のみを使用するように、UE115-aを設定し得る。
【００５９】
また他の態様では、基地局105-aは、異なるタイプの基準信号のセル品質メトリック(たとえば、レイヤ3(L3)メトリック)の比較に基づいて、RLMのために特定の基準信号を使用するように、UE115-aを設定し得る。たとえば、基地局105-aは、第1のタイプの基準信号205のセル品質が、第2のタイプの基準信号210のセル品質よりも実質的に低いか否かの決定に基づいて、RLMのために第1のタイプの基準信号205、第2のタイプの基準信号210、または両方を使用するように、UE115-aを設定し得る。場合によっては、基地局105-aは、第1のタイプの基準信号に関連付けられたセル品質メトリックと、第2のタイプの基準信号に関連付けられたセル品質メトリックとの間の差を識別し得、基地局105-aは、その差をしきい値と比較し得る。
【００６０】
基地局105-aが、第1のタイプの基準信号205のセル品質メトリックと第2のタイプの基準信号210のセル品質メトリックとの間の差が、しきい値を上回ると決定する場合、基地局105-aは、RLMのために第1のタイプの基準信号205および第2のタイプの基準信号210を使用するように、UE115-aを設定し得る。代替的に、基地局105-aが、第1のタイプの基準信号205のセル品質メトリックと第2のタイプの基準信号210のセル品質メトリックとの間の差が、しきい値を下回ると決定する場合、基地局105-aは、RLMのために第1のタイプの基準信号205を使用するように、UE115-aを設定し得る。
【００６１】
UE115-aから受信された報告に基づいて、信号品質メトリックを決定することに追加して、またはその代替として、基地局105-aは、UE115-aから受信された基準信号(たとえば、サウンディング基準信号(SRS))の品質に基づいて、UE115-aによって受信された基準信号の信号品質メトリックを識別し得る。一例として、基地局105-aは、第1のタイプの基準信号205を受信するために、UE115-aによって使用されたアンテナポート構成から導出されたアンテナポート構成を使用して、SRSを送信するように、UE115-aを設定し得る。さらに、UE115-aからSRSを受信するために使用されるアンテナポートは、第1のタイプの基準信号205を送信するために使用されるアンテナポートと擬似コロケートされ得る。
【００６２】
基地局105-aが、第1のタイプの基準信号205を送信し、SRSを受信するために、同様のアンテナポート構成を使用し得、UE115-aが、第1のタイプの基準信号205を受信し、SRSを送信するために、同様のアンテナポート構成を使用し得るので、基地局105-aによって受信されたSRSの品質は、(たとえば、チャネル相反性を介して)UE115-aによって受信された第1のタイプの基準信号205の品質に対応し得る。したがって、基地局105-aがUE115-aからSRSを受信するとき、基地局105-aは、UE115-aによって受信された第1のタイプの基準信号205の品質を決定するために、SRSの信号品質を測定し得る。
【００６３】
いくつかの態様では、次いで、基地局105-aは、測定されたSRSの信号品質を信号品質しきい値と比較することに基づいて、RLMのために特定の基準信号を使用するように、UE115-aを設定し得る。UE115-aが、測定されたSRSの信号品質が信号品質しきい値を下回ると決定する場合、基地局105-aは、RLMのために第1のタイプの基準信号205および第2のタイプの基準信号210を使用するように、UE115-aを設定し得る。そのような場合、第2のタイプの基準信号210を送信するために使用されるアンテナポートは、PDCCH上で送信するために使用されるアンテナポートと擬似コロケートされ得る。代替的に、UE115-aが、測定されたSRSの信号品質が信号品質しきい値を上回ると決定する場合、基地局105-aは、RLMのために第1のタイプの基準信号205を使用するように、UE115-aを設定し得る。本明細書で説明するように、信号品質しきい値などの様々なパラメータは、ネットワーク構成によって異なり得、システムの特定の状況に従って、ネットワーク事業者によって設定され得る。たとえば、信号品質しきい値は、変動するパラメータに基づき得、変動するパラメータは、少なくとも様々なモバイルデバイスおよびネットワークの異なる構成に依存し得る。
【００６４】
上記で説明したシナリオのうちの1つまたは複数に基づいて、基地局105-aは、RLM構成を選択し、UE115-aに送信し得る。次いで、UE115-aは、RLM構成を受信し、構成に基づいて、RLMを実行するためにどの基準信号を使用するかを決定し得る。図2の例では、UE115-aは、第1のタイプの基準信号205の第1の信号品質と、第2のタイプの基準信号210の第2の信号品質とを決定し得、UE115-aは、これらの信号の信号品質の決定に基づいて、RLMを実行し得る。詳細には、UE115-aは、基地局105-aから受信されたRLM構成、および/または第1の信号品質、第2の信号品質、もしくは両方に基づいて、UE115-aが基地局105-aとの通信のために同期しているか、同期していないかを決定し得る。
【００６５】
RLM構成は、RLM関数を含み得、RLM関数は、何の基準信号タイプおよびしきい値をRLMにおいて使用するかを示し得る。さらに、RLM構成は、追加として、UEがRLM関数において、第1のタイプの基準信号または第2のタイプの基準信号のうちの少なくとも1つに、第1の信号品質しきい値を適用することになるとのインジケータを含み得る。第1のRLM関数では、UE115-aは、第1の信号品質および第2の信号品質のうちの最大信号品質を決定し得、UE115-aは、(たとえば、指定された持続時間にわたる)最大信号品質を(たとえば、事前構成されたしきい値であり得るか、または基地局105-aによって構成され得る)信号品質しきい値と比較することに基づいて、UEが同期しているか、同期していないかを決定し得る。最大信号品質が信号品質しきい値を上回る場合、UE115-aは、UE115-aが基地局105-aと同期していると決定し得る。代替的に、最大信号品質が信号品質しきい値を下回る場合、UE115-aは、UE115-aが基地局105-aと同期していないと決定し得る。場合によっては、最大信号品質は、ブロックエラーレート(BLER)に対応し得、UE115-aは、BLERが十分に低い場合、UE115-aが基地局105-aと同期していると決定し得る。
【００６６】
第2のRLM関数では、UE115-aは、第1の信号品質および第2の信号品質に基づいて、最小BLERを決定し得、UE115-aは、(たとえば、指定された持続時間にわたる)最小BLERを(たとえば、基地局105-aによって構成された)BLERしきい値と比較することに基づいて、UE115-aが同期しているか、同期していないかを決定し得る。最小BLERがBLERしきい値を下回る場合、UE115-aは、UE115-aが基地局105-aと同期していると決定し得る。代替的に、最小BLERがBLERしきい値を上回る場合、UE115-aは、UE115-aが基地局105-aと同期していないと決定し得る。第3のRLM関数では、UE115-aは、第1の信号品質および第2の信号品質を結合し得、UE115-aは、結合された信号品質を信号品質しきい値と比較することに基づいて、UE115-aが同期しているか、同期していないかを決定し得る。結合された信号品質が信号品質しきい値を上回る場合、UE115-aは、UE115-aが基地局105-aと同期していると決定し得る。代替的に、結合された信号品質が信号品質しきい値を下回る場合、UE115-aは、UE115-aが基地局105-aと同期していないと決定し得る。
【００６７】
第4のRLM関数では、第1の信号品質および第2の信号品質の最大値、最小値、または結合を単一のしきい値と比較するのではなく、UE115-aは、第1の信号品質および第2の信号品質の各々を、異なるしきい値と比較して、UE115-aが同期しているか、同期していないかを決定し得る。一例では、UE115-aは、第1の信号品質が第1の信号品質しきい値を下回るとの決定に基づいて、UE115-aが同期していないと決定し得る。代替的に、UE115-aは、第1の信号品質が第1の信号品質しきい値を下回り、第2の信号品質が第2の信号品質しきい値を下回るとの決定に基づいて、UE115-aが同期していないと決定し得る。別の例では、UE115-aは、第1の信号品質が第3の信号品質しきい値(たとえば、第1の信号品質しきい値と同じであるか、または異なり得る)を上回るとの決定に基づいて、UE115-aが同期していると決定し得る。代替的に、UE115-aは、第1の信号品質が第3の信号品質しきい値を上回るか、または第2の信号品質が第4の信号品質しきい値(たとえば、第2の信号品質しきい値と同じであるか、または異なり得る)を上回るか、または両方であるかの決定に基づいて、UE115-aが同期していると決定し得る。
【００６８】
図3は、本開示の様々な態様による、基準信号の送信を示すタイミング図300の一例を示す。図2を参照しながら説明したように、基地局105-aは、1つまたは複数のUE(UE115-aを含む)に、第1のタイプの基準信号205と第2のタイプの基準信号210とを送信し得る。本例では、第1のタイプの基準信号205は、第1の周期性305で送信され得、第2のタイプの基準信号210は、第2の周期性310で送信され得る。
【００６９】
場合によっては、RLMのためにいくつかのタイプの基準信号を使用するように、基地局105-aによって構成されることに加えて(または、代替として)、UE115-aは、これらの基準信号の周期性に基づいて、RLMのためにいくつかのタイプの基準信号を使用するように決定するように構成され得る。一例では、UE115-aは、第1のタイプの基準信号205の第1の周期性305が周期性しきい値よりも大きいと決定し得、この場合には、UE115-aは、RLMのために第2のタイプの基準信号210を使用し得る。別の例では、UE115-aは、第2のタイプの基準信号210の第2の周期性310が周期性しきい値よりも大きいと決定し得、この場合には、UE115-aは、RLMのために第1のタイプの基準信号205を使用し得る。
【００７０】
UE115-aはまた、UE115-aが接続モード間欠受信(C-DRX:connected mode discontinuous reception)モードにおいて動作中であるとき、RLMのためにいくつかのタイプの基準信号を使用するように構成され得る。図4は、本開示の様々な態様による、C-DRXサイクル400の一例を示す。UE115-aは、ON持続時間405の間にアクティブ状態であり得、OFF持続時間410の間に非アクティブ状態であり得る。この例では、UE115-aがアクティブ状態であるとき、UE115-aは、RLMを実行し得、UE115-aが(たとえば、電力を節約するために)非アクティブ状態であるとき、UE115-aは、RLMを実行することを控え得る。UE115-aが、OFF持続時間410の間にRLMを実行するために、非アクティブ状態から出るように遷移する必要がないことを保証するために、基地局105-aは、RLMのためにいくつかの基準信号を使用するように、UE115-aを設定し得る。
【００７１】
図3の例では、基地局105-aは、第2のタイプの基準信号210に基づいて、RLMを実行するように、UE115-aを設定し得る。たとえば、第1のタイプの基準信号は、周期的に送信され得るNR-SSであり得、ON持続時間405と重複しないことがある。第2のタイプの基準信号はCSI-RSであり得、CSI-RSは、C-DRXオン持続時間の間にUEへのダウンリンク送信において、ならびにC-DRXオン持続時間の間に他のUEへのダウンリンク送信において、送信され得る。DRXサイクルにおけるON持続時間405が、第2のタイプのいくつかの基準信号と重複するので、UE115-aは、RLMを実行するために、非アクティブ状態から出るように遷移する必要がないことがある。他の例では、UE115-aは、RLMのために、第1のタイプの基準信号205と第2のタイプの基準信号210の両方を監視するように構成され得る。しかしながら、UE115-aがC-DRXモードにおいて動作中であるとき、UE115-aは、RLMを実行するために、非アクティブ状態から出るように遷移する必要を回避するために、RLMのために第2のタイプの基準信号210のみを使用するように決定し得る。
【００７２】
図5は、本開示の様々な態様による、複数の基準信号に基づくRLMをサポートするシステムにおけるプロセスフロー500の一例を示す。プロセスフロー500は、図1〜図4を参照しながら説明した基地局105の一例であり得る、基地局105-bによって実行される技法の態様を示す。プロセスフロー500はまた、図1〜図4を参照しながら説明したUE115の一例であり得る、UE115-bによって実行される技法の態様を示す。
【００７３】
505で、基地局105-bは、UE115-bに、(たとえば、セルに関連付けられた)第1のタイプの基準信号と第2のタイプの基準信号とを送信し得る。場合によっては、第1のタイプの基準信号は同期信号であり、第2のタイプの基準信号はCSI-RSである。他の場合には、第1のタイプの基準信号は、復調基準信号(たとえば、PBCHにおけるDMRS)であり、第2のタイプの基準信号は、UE固有の基準信号である。また他の場合には、第1のタイプの基準信号は、ビームフォーミングされないCSI-RSであり、第2のタイプの基準信号は、ビームフォーミングされたCSI-RSである。基地局105-bは、第1のタイプの基準信号および第2のタイプの基準信号のためのアンテナポート構成の指示を送信し得る。さらに、基地局105-bはまた、UE115-bが第1のタイプの基準信号および第2のタイプの基準信号を監視するためのリソースの指示を送信し得る。
【００７４】
いくつかの態様では、基地局105-bは、第1のタイプの基準信号の信号品質、および/または第2のタイプの基準信号の信号品質を報告するように、UE115-bを設定し得る。そのような態様では、510で、UE115-bは、基地局105-bに信号品質報告を送信し得る。520で、これらの報告に基づいて、基地局105-bは、UE115-bについて、第1のタイプの基準信号または第2のタイプの基準信号のうちの少なくとも1つに関連付けられた信号品質メトリックを識別し得る。いくつかの例では、基地局105-bは、第1のタイプの基準信号のための信号品質メトリックがしきい値を下回ると決定し得、基地局105-bは、この決定に基づいて、RLMのために第1のタイプの基準信号および第2のタイプの基準信号を使用するように、UE115-bを設定し得る。他の例では、基地局105-bは、第1のタイプの基準信号に関連付けられた信号品質メトリックがしきい値を上回ると決定し得、基地局105-bは、この決定に基づいて、RLMのために第1のタイプの基準信号を使用するように、UE115-bを設定し得る。
【００７５】
いくつかの事例では、基地局105-bは、第1のタイプの基準信号および第2のタイプの基準信号の信号品質メトリックの比較に基づいて、RLMのためにいくつかの基準信号を使用するように、UE115-bを設定し得る。たとえば、基地局105-bは、第1のタイプの基準信号に関連付けられた信号品質メトリックと、第2のタイプの基準信号に関連付けられた信号品質メトリックとの間の差を、しきい値と比較し得、その差をしきい値と比較した結果に基づいて、RLMのために第1のタイプの基準信号、第2のタイプの基準信号、または両方を使用するように、UE115-bを設定し得る。他の事例では、基地局105-bは、第1のタイプの基準信号および第2のタイプの基準信号のセル品質メトリックの比較に基づいて、RLMのためにいくつかの基準信号を使用するように、UE115-bを設定し得る。たとえば、基地局105-bは、第1の信号品質メトリックおよび第2の信号品質メトリックに基づいて、第1のタイプの基準信号に関連付けられた第1のセル品質メトリックと、第2のタイプの基準信号に関連付けられた第2のセル品質メトリックとを決定し得、その場合、第1のセル品質メトリックおよび第2のセル品質メトリックは、L3モビリティメトリックである。次いで、基地局105-bは、第1のタイプの基準信号に関連付けられた第1のセル品質メトリックと、第2のタイプの基準信号に関連付けられた第2のセル品質メトリックとの間の差を、しきい値と比較し得、基地局105-bは、その差をしきい値と比較した結果に基づいて、RLMのために第1のタイプの基準信号、第2のタイプの基準信号、または両方を使用するように、UE115-bを設定し得る。
【００７６】
他の態様では、基地局105-bは、第1のタイプの基準信号の受信から導出されたSRSを送信するように、UE115-bを設定し得、515で、基地局105-bは、UE115-bからSRSを受信し得る。そのような態様では、520で、基地局は、UE115-bについて、UE115-bから受信されたSRSに基づいて、第1のタイプの基準信号または第2のタイプの基準信号のうちの少なくとも1つに関連付けられた信号品質メトリックを識別し得る。場合によっては、基地局105-bは、RLMのために第2のタイプの基準信号を使用するように、UE115-bを設定するか否かを決定するために、SRSの信号品質を測定し得る。一例として、基地局105-bは、測定されたSRSの信号品質が信号品質しきい値を下回ると決定し得、基地局105-bは、この決定に基づいて、RLMのために第2のタイプの基準信号を使用するように、UE115-bを設定し得る。いくつかの例では、第1のタイプのSRSを受信するために使用されるアンテナポートのセットは、第1のタイプの基準信号を送信するために使用されるアンテナポートのセットと擬似コロケートされ得る。さらに、上記の例に加えて、基地局105-bは、場合によっては、UE115-bがDRXモードにおいて動作中であるとき、RLMのために第2のタイプの基準信号を使用するように、UE115-bを設定し得る。
【００７７】
525で、基地局105-bが、(たとえば、上記で説明したシナリオに基づいて)UE115-bのための適切なRLM構成を識別すると、基地局105-bは、UE115-bにRLM構成を送信し得る。いくつかの例では、RLM構成は、第1の信号品質しきい値と、UEがRLM関数において、第1のタイプの基準信号または第2のタイプの基準信号のうちの少なくとも1つに、第1の信号品質しきい値を適用することになるとのインジケータとを含み得る。RLM構成は、RLM関数を含み得、RLM関数は、何の基準信号タイプおよびしきい値をRLMにおいて使用するかを示し得る。UE115-bは、RLM構成を受信し得、530で、RLM構成に基づいて、RLMを実行し得る。詳細には、UE115-bは、第1のタイプの基準信号の第1の信号品質と、第2のタイプの基準信号の第2の信号品質とを決定し得、UE115-bは、RLM関数と、第1の信号品質または第2の信号品質のうちの少なくとも1つとに基づいて、UE115-bが基地局105-bとの通信のために同期しているか、同期していないかを決定し得る。
【００７８】
いくつかの例では、UE115-bはまた、第1のタイプの基準信号および第2のタイプの基準信号の周期性に基づいて、UE115-bが同期しているか、同期していないかを決定するために、どの信号品質を使用するかを決定し得る。一例では、UE115-bは、第1のタイプの基準信号の周期性が周期性しきい値よりも大きいと決定し得、この例では、UE115-bは、第2の信号品質に基づいて、UEが同期しているか、同期していないかを決定し得る。別の例では、UE115-bは、第2のタイプの基準信号の周期性が周期性しきい値よりも大きいと決定し得、この例では、UE115-bは、第1の信号品質に基づいて、UEが同期しているか、同期していないかを決定し得る。535で、UE115-bが、UE115-bが基地局105-bとの通信のために同期しているか、同期していないかを決定した後、UE115-bは、UEが同期しているか、同期していないかの決定に基づいて、基地局105-bと通信し得る。
【００７９】
図6は、本開示の様々な態様による、複数の基準信号に基づくRLMをサポートするワイヤレスデバイス605のブロック図600を示す。ワイヤレスデバイス605は、本明細書で説明する基地局105の態様の一例であり得る。ワイヤレスデバイス605は、受信機610と、基地局通信マネージャ615と、送信機620とを含み得る。ワイヤレスデバイス605はまた、プロセッサを含み得る。これらの構成要素の各々は、(たとえば、1つまたは複数のバスを介して)互いに通信中であり得る。
【００８０】
受信機610は、パケット、ユーザデータ、または様々な情報チャネル(たとえば、制御チャネル、データチャネル、および複数の基準信号に基づくRLMに関する情報など)に関連付けられた制御情報などの情報を受信し得る。情報はデバイスの他の構成要素に渡され得る。受信機610は、図9を参照しながら説明するトランシーバ935の態様の一例であり得る。受信機610は、単一のアンテナまたはアンテナのセットを利用し得る。
【００８１】
基地局通信マネージャ615は、図9を参照しながら説明する基地局通信マネージャ915の態様の一例であり得る。基地局通信マネージャ615および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ615および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明する機能を実行するように設計されたそれらの任意の組合せによって実行され得る。
【００８２】
基地局通信マネージャ615は、受信機610を介して、UEから、セル品質メトリックなどの情報650を受信し得る。いくつかの例では、セル品質メトリックは、異なるタイプの基準信号についてのものであり得る。一例では、情報650は、第1のタイプの基準信号に関して報告されたセル品質メトリックを含み得る。別の例では、情報650は、第2のタイプの基準信号に関して報告されたセル品質メトリックを含み得る。基地局通信マネージャ615は、第1のタイプの基準信号および第2のタイプの基準信号のセル品質メトリックを処理して、どのタイプの基準信号を、UEが使用するように構成されることになるかを決定し得る。次いで、基地局通信マネージャ615は、送信機620を介して、UEにRLM構成660を送信し得る。RLM構成660は、RLM関数を含み得、RLM関数は、何の基準信号タイプおよびしきい値がRLMにおいて使用されることになるかをUEに示し得る。
【００８３】
一例では、ワイヤレスデバイス605は、第1のタイプの基準信号および第2のタイプの基準信号など、基準信号670を送信し得る基地局であり得る。第1のタイプの基準信号は、同期信号(たとえば、NR同期信号(NR-SS))であり得、第2のタイプの基準信号は、CSI-RSであり得る。追加として、第1のタイプの基準信号は、復調基準信号であり得、第2のタイプの基準信号は、UE固有の基準信号であり得る。さらに、第1のタイプの基準信号は、ビームフォーミングされない基準信号(たとえば、ビームフォーミングされないCSI-RS)であり得、第2のタイプの基準信号は、ビームフォーミングされた基準信号(たとえば、ビームフォーミングされたCSI-RS)であり得る。
【００８４】
ワイヤレスデバイス605はまた、UEがこれらの基準信号670を受信するために使用するためのアンテナポートの数の指示を送信し得る。追加として、基地局は、UEがこれらのタイプの基準信号を監視するためのリソース(たとえば、時間リソースおよび周波数リソース)の指示を送信し得る。さらに、ワイヤレスデバイス605はまた、UEから情報650を受信し得る。情報650は、限定はしないが、基準信号受信電力(RSRP)、基準信号受信品質(RSRQ)、SNRなどを含む信号品質など、基準信号670に関連付けられた信号品質に関連付けられ得る。受信された情報650に基づいて、次いで、ワイヤレスデバイス605は、UEにRLM構成660を送信し得る。
【００８５】
基地局通信マネージャ615は、セルに関連付けられた第1のタイプの基準信号および第2のタイプの基準信号を含む、基準信号670を送信すること、基地局によってサービスされるUEについて、第1のタイプの基準信号または第2のタイプの基準信号のうちの少なくとも1つに関連付けられた信号品質メトリックの形態における情報650を識別すること、ならびに、識別された品質メトリックに基づいて、RLMのために第1のタイプの基準信号、第2のタイプの基準信号、または両方を使用するように、UEを設定することを行い得る。
【００８６】
基地局通信マネージャ615および/またはその様々な副構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、基地局通信マネージャ615および/またはその様々な副構成要素のうちの少なくともいくつかは、本開示の様々な態様による別個の異なる構成要素であり得る。他の例では、基地局通信マネージャ615および/またはその様々な副構成要素のうちの少なくともいくつかは、限定はしないが、I/O構成要素、トランシーバ、ネットワークサーバ、別のコンピューティングデバイス、本開示で説明する1つまたは複数の他の構成要素、または本開示の様々な態様によるそれらの組合せを含む、1つまたは複数の他のハードウェア構成要素と組み合わせられ得る。
【００８７】
送信機620は、基準信号とRLM構成660とを送信し得、そのうちのいくつかが、デバイスの他の構成要素によって生成され得る。いくつかの例では、送信機620は、トランシーバモジュール内で受信機610とコロケートされてもよい。たとえば、送信機620は、図9を参照しながら説明するトランシーバ935の態様の一例であり得る。送信機620は、単一のアンテナまたはアンテナのセットを利用し得る。
【００８８】
図7は、本開示の様々な態様による、複数の基準信号に基づくRLMをサポートするワイヤレスデバイス705のブロック図700を示す。ワイヤレスデバイス705は、図6を参照しながら説明したようなワイヤレスデバイス605または基地局105の態様の一例であり得る。ワイヤレスデバイス705は、受信機710と、基地局通信マネージャ715と、送信機720とを含み得る。ワイヤレスデバイス705はまた、プロセッサを含み得る。これらの構成要素の各々は、(たとえば、1つまたは複数のバスを介して)互いに通信中であり得る。
【００８９】
受信機710は、パケット、ユーザデータ、または様々な情報チャネル(たとえば、制御チャネル、データチャネル、および複数の基準信号に基づくRLMに関する情報など)に関連付けられた制御情報などの情報を受信し得る。情報はデバイスの他の構成要素に渡され得る。受信機710は、図9を参照しながら説明するトランシーバ935の態様の一例であり得る。受信機710は、単一のアンテナまたはアンテナのセットを利用し得る。
【００９０】
基地局通信マネージャ715は、図9を参照しながら説明する基地局通信マネージャ915の態様の一例であり得る。基地局通信マネージャ715は、基準信号マネージャ725と、信号品質メトリック識別器730と、RLM構成マネージャ735とを含み得る。
【００９１】
基準信号マネージャ725は、セルに関連付けられた第1のタイプの基準信号および第2のタイプの基準信号の形態における、基準信号770を送信し得る。場合によっては、第1のタイプの基準信号は、同期信号を含み、第2のタイプの基準信号は、チャネル状態情報基準信号を含む。場合によっては、第1のタイプの基準信号は、ブロードキャストチャネルのための復調基準信号を含み、第2のタイプの基準信号は、UE固有の基準信号を含む。場合によっては、第1のタイプの基準信号は、ビームフォーミングされないチャネル状態情報基準信号を含み、第2のタイプの基準信号は、ビームフォーミングされたチャネル状態情報基準信号を含む。
【００９２】
信号品質メトリック識別器730は、基地局によってサービスされるUEについて、第1のタイプの基準信号または第2のタイプの基準信号のうちの少なくとも1つに関連付けられた信号品質メトリックを識別し得る。信号品質メトリックは、情報750として受信され得る。
【００９３】
RLM構成マネージャ735は、識別された品質メトリックに基づいて、RLMのために第1のタイプの基準信号、第2のタイプの基準信号、または両方を使用するように、UEを設定し得る。したがって、RLM構成マネージャ735は、送信機720を介して、UEにRLM構成760を送信し得る。場合によっては、RLM構成マネージャ735は、第1のタイプの基準信号のための信号品質メトリックがしきい値を下回ると決定し得る。場合によっては、RLM構成マネージャ735は、第1のタイプの基準信号のための信号品質メトリックがしきい値を下回るとの決定に基づいて、RLMのために第1のタイプの基準信号および第2のタイプの基準信号を使用するように、UEを設定し得る。場合によっては、RLM構成マネージャ735は、第1のタイプの基準信号に関連付けられた信号品質メトリックがしきい値を上回ると決定し得る。場合によっては、RLM構成マネージャ735は、第1のタイプの基準信号のための信号品質メトリックがしきい値を上回るとの決定に基づいて、RLMのために第1のタイプの基準信号を使用するように、UEを設定し得る。
【００９４】
場合によっては、RLM構成マネージャ735は、第1のタイプの基準信号に関連付けられた信号品質メトリックと、第2のタイプの基準信号に関連付けられた信号品質メトリックとの間の差を、しきい値と比較し得る。場合によっては、RLM構成マネージャ735は、その差をしきい値と比較した結果に基づいて、RLMのために第1のタイプの基準信号、第2のタイプの基準信号、または両方を使用するように、UEを設定し得る。場合によっては、RLM構成マネージャ735は、第1の信号品質メトリックおよび第2の信号品質メトリックに基づいて、第1のタイプの基準信号に関連付けられた第1のセル品質メトリックと、第2のタイプの基準信号に関連付けられた第2のセル品質メトリックとを決定し得、その場合、第1のセル品質メトリックおよび第2のセル品質メトリックは、L3モビリティメトリックを含む。場合によっては、RLM構成マネージャ735は、第1のタイプの基準信号に関連付けられた第1のセル品質メトリックと、第2のタイプの基準信号に関連付けられた第2のセル品質メトリックとの間の差を、しきい値と比較し得る。場合によっては、RLM構成マネージャ735は、その差をしきい値と比較した結果に基づいて、RLMのために第1のタイプの基準信号、第2のタイプの基準信号、または両方を使用するように、UEを設定し得る。
【００９５】
場合によっては、RLM構成マネージャ735は、第1のタイプのSRSの信号品質を測定すること、測定された第1のタイプのSRSの信号品質が信号品質しきい値を下回ると決定すること、測定された第1のタイプのSRSの信号品質が信号品質しきい値を下回るとの決定に基づいて、RLMのために第2のタイプの基準信号を使用するように、UEを設定することを行い得る。場合によっては、RLM構成マネージャ735は、UEがDRXモードにおいて動作中であるとき、RLMのために第2のタイプの基準信号を使用するように、UEを設定し得る。
【００９６】
送信機720は、デバイスの他の構成要素によって生成される信号を送信し得る。いくつかの例では、送信機720は、トランシーバモジュールにおいて受信機710とコロケートされてよい。たとえば、送信機720は、図9を参照しながら説明するトランシーバ935の態様の一例であり得る。送信機720は、単一のアンテナまたはアンテナのセットを利用し得る。
【００９７】
図8は、本開示の様々な態様による、複数の基準信号に基づくRLMをサポートする基地局通信マネージャ815のブロック図800を示す。基地局通信マネージャ815は、図6、図7、および図9を参照しながら説明する、基地局通信マネージャ615、基地局通信マネージャ715、または基地局通信マネージャ915の態様の一例であり得る。基地局通信マネージャ815は、基準信号マネージャ820と、信号品質メトリック識別器825と、RLM構成マネージャ830と、UE報告マネージャ835と、SRSマネージャ840と、アンテナポート構成マネージャ845と、リソースマネージャ850とを含み得る。これらのモジュールの各々は、(たとえば、1つまたは複数のバスを介して)互いと直接的または間接的に通信し得る。
【００９８】
基準信号マネージャ820は、セルに関連付けられた第1のタイプの基準信号および第2のタイプの基準信号を送信し得る。場合によっては、第1のタイプの基準信号は、同期信号を含み、第2のタイプの基準信号は、チャネル状態情報基準信号を含む。場合によっては、第1のタイプの基準信号は、ブロードキャストチャネルのための復調基準信号を含み、第2のタイプの基準信号は、UE固有の基準信号を含む。場合によっては、第1のタイプの基準信号は、ビームフォーミングされないチャネル状態情報基準信号を含み、第2のタイプの基準信号は、ビームフォーミングされたチャネル状態情報基準信号を含む。信号品質メトリック識別器825は、基地局によってサービスされるUEについて、第1のタイプの基準信号または第2のタイプの基準信号のうちの少なくとも1つに関連付けられた信号品質メトリックを識別し得る。
【００９９】
RLM構成マネージャ830は、識別された品質メトリックに基づいて、RLMのために第1のタイプの基準信号、第2のタイプの基準信号、または両方を使用するように、UEを設定し得る。場合によっては、RLM構成マネージャ830は、第1のタイプの基準信号のための信号品質メトリックがしきい値を下回ると決定し得る。場合によっては、RLM構成マネージャ830は、第1のタイプの基準信号のための信号品質メトリックがしきい値を下回るとの決定に基づいて、RLMのために第1のタイプの基準信号および第2のタイプの基準信号を使用するように、UEを設定し得る。場合によっては、RLM構成マネージャ830は、第1のタイプの基準信号に関連付けられた信号品質メトリックがしきい値を上回ると決定し得る。場合によっては、RLM構成マネージャ830は、第1のタイプの基準信号のための信号品質メトリックがしきい値を上回るとの決定に基づいて、RLMのために第1のタイプの基準信号を使用するように、UEを設定し得る。
【０１００】
場合によっては、RLM構成マネージャ830は、第1のタイプの基準信号に関連付けられた信号品質メトリックと、第2のタイプの基準信号に関連付けられた信号品質メトリックとの間の差を、しきい値と比較し得る。場合によっては、RLM構成マネージャ830は、その差をしきい値と比較した結果に基づいて、RLMのために第1のタイプの基準信号、第2のタイプの基準信号、または両方を使用するように、UEを設定し得る。場合によっては、RLM構成マネージャ830は、第1の信号品質メトリックおよび第2の信号品質メトリックに基づいて、第1のタイプの基準信号に関連付けられた第1のセル品質メトリックと、第2のタイプの基準信号に関連付けられた第2のセル品質メトリックとを決定し得、その場合、第1のセル品質メトリックおよび第2のセル品質メトリックは、L3モビリティメトリックを含む。場合によっては、RLM構成マネージャ830は、第1のタイプの基準信号に関連付けられた第1のセル品質メトリックと、第2のタイプの基準信号に関連付けられた第2のセル品質メトリックとの間の差を、しきい値と比較し得る。場合によっては、RLM構成マネージャ830は、その差をしきい値と比較した結果に基づいて、RLMのために第1のタイプの基準信号、第2のタイプの基準信号、または両方を使用するように、UEを設定し得る。場合によっては、RLM構成マネージャ830は、UEがDRXモードにおいて動作中であるとき、RLMのために第2のタイプの基準信号を使用するように、UEを設定し得る。
【０１０１】
SRSマネージャ840は、第1のタイプの基準信号の受信から導出された第1のタイプのSRSを送信するように、UEを設定し、UEから第1のタイプのSRSを受信し得る。場合によっては、第1のタイプのSRSを受信するために使用されるアンテナポートのセットは、第1のタイプの基準信号を送信するために使用されるアンテナポートのセットと擬似コロケートされる。場合によっては、RLM構成マネージャ830は、第1のタイプのSRSの信号品質を測定すること、測定された第1のタイプのSRSの信号品質が信号品質しきい値を下回ると決定すること、測定された第1のタイプのSRSの信号品質が信号品質しきい値を下回るとの決定に基づいて、RLMのために第2のタイプの基準信号を使用するように、UEを設定することを行い得る。
【０１０２】
UE報告マネージャ835は、第1のタイプの基準信号の信号品質と、第2のタイプの基準信号の信号品質とを報告するように、UEを設定し得、その場合、第1のタイプの基準信号のための信号品質メトリックが、UEから第1のタイプの基準信号の信号品質の1つまたは複数の報告を受信することに基づいて識別される。アンテナポート構成マネージャ845は、第1のタイプの基準信号および第2のタイプの基準信号のためのアンテナポート構成の指示を送信し得る。リソースマネージャ850は、UEが第1のタイプの基準信号および第2のタイプの基準信号を監視するためのリソースの指示を送信し得る。
【０１０３】
図9は、本開示の様々な態様による、複数の基準信号に基づくRLMをサポートするデバイス905を含むシステム900の図を示す。デバイス905は、たとえば、図6および図7を参照しながら上記で説明したような、ワイヤレスデバイス605、ワイヤレスデバイス705、または基地局105の構成要素の一例であり得るか、またはそれらを含み得る。デバイス905は、基地局通信マネージャ915と、プロセッサ920と、メモリ925と、ソフトウェア930と、トランシーバ935と、アンテナ940と、ネットワーク通信マネージャ945と、局間通信マネージャ950とを含む、通信を送信および受信するための構成要素を含む、双方向音声およびデータ通信のための構成要素を含み得る。これらの構成要素は、1つまたは複数のバス(たとえば、バス910)を介して電子通信中であり得る。デバイス905は、1つまたは複数のUE115とワイヤレスに通信し得る。
【０１０４】
プロセッサ920は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ920は、メモリコントローラを使用して、メモリアレイを動作させるように構成され得る。他の場合には、メモリコントローラは、プロセッサ920内に統合され得る。プロセッサ920は、様々な機能(たとえば、複数の基準信号に基づくRLMをサポートする機能またはタスク)を実行するために、メモリ内に記憶されたコンピュータ可読命令を実行するように構成され得る。
【０１０５】
メモリ925は、ランダムアクセスメモリ(RAM)と読取り専用メモリ(ROM)とを含み得る。メモリ925は、実行されると、プロセッサに、本明細書で説明する様々な機能を実行させる命令を含む、コンピュータ可読、コンピュータ実行可能ソフトウェア930を記憶し得る。場合によっては、メモリ925は、特に、周辺構成要素または周辺デバイスとの対話などの基本的なハードウェア動作またはソフトウェア動作を制御し得る基本入出力システム(BIOS)を含み得る。
【０１０６】
ソフトウェア930は、複数の基準信号に基づくRLMをサポートするためのコードを含む、本開示の態様を実装するためのコードを含み得る。ソフトウェア930は、システムメモリまたは他のメモリなど、非一時的コンピュータ可読媒体内に記憶され得る。場合によっては、ソフトウェア930は、プロセッサによって直接実行可能ではないことがあるが、(たとえば、コンパイルされ、実行されると)本明細書で説明する機能をコンピュータに実行させることができる。
【０１０７】
トランシーバ935は、上記で説明したような1つまたは複数のアンテナ、ワイヤードリンク、またはワイヤレスリンクを介して双方向に通信することができる。たとえば、トランシーバ935は、ワイヤレストランシーバを表すことがあり、別のワイヤレストランシーバと双方向に通信し得る。トランシーバ935はまた、パケットを変調し、変調されたパケットを送信のためにアンテナに与えるための、およびアンテナから受信されたパケットを復調するためのモデムを含み得る。
【０１０８】
場合によっては、ワイヤレスデバイスは、単一のアンテナ940を含み得る。ただし、場合によっては、デバイスは、2つ以上のアンテナ940を有することがあり、2つ以上のアンテナ940は、複数のワイヤレス送信を並行して送信または受信することが可能であり得る。ネットワーク通信マネージャ945は、(たとえば、1つまたは複数のワイヤードバックホールリンクを介して)コアネットワークとの通信を管理し得る。たとえば、ネットワーク通信マネージャ945は、1つまたは複数のUE115などのクライアントデバイスのためのデータ通信の転送を管理し得る。
【０１０９】
局間通信マネージャ950は、他の基地局105との通信を管理し得、他の基地局105と協働してUE115との通信を制御するためのコントローラまたはスケジューラを含み得る。たとえば、局間通信マネージャ950は、ビームフォーミングまたはジョイント送信などの様々な干渉軽減技法のために、UE115への送信のためのスケジューリングを調整し得る。いくつかの例では、局間通信マネージャ950は、基地局105間で通信を行うために、LTE/LTE-Aワイヤレス通信ネットワーク技術内のX2インターフェースを提供し得る。
【０１１０】
図10は、本開示の様々な態様による、複数の基準信号に基づくRLMをサポートするワイヤレスデバイス1005のブロック図1000を示す。ワイヤレスデバイス1005は、本明細書で説明するUE115の態様の一例であり得る。ワイヤレスデバイス1005は、受信機1010と、UE通信マネージャ1015と、送信機1020とを含み得る。ワイヤレスデバイス1005はまた、プロセッサを含み得る。これらの構成要素の各々は、(たとえば、1つまたは複数のバスを介して)互いに通信中であり得る。
【０１１１】
受信機1010は、パケット、ユーザデータ、または様々な情報チャネル(たとえば、制御チャネル、データチャネル、および複数の基準信号に基づくRLMに関する情報など)に関連付けられた制御情報などの情報を受信し得る。情報はデバイスの他の構成要素に渡され得る。受信機1010は、図12を参照しながら説明するトランシーバ1235の態様の一例であり得る。受信機1010は、単一のアンテナまたはアンテナのセットを利用し得る。
【０１１２】
UE通信マネージャ1015は、図12を参照しながら説明するUE通信マネージャ1215の態様の一例であり得る。UE通信マネージャ1015および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ1015および/またはその様々な副構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示において説明する機能を実行するように設計されたそれらの任意の組合せによって実行され得る。
【０１１３】
UE通信マネージャ1015および/またはその様々な副構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、UE通信マネージャ1015および/またはその様々な副構成要素うちの少なくともいくつかは、本開示の様々な態様による別個の異なる構成要素であり得る。他の例では、UE通信マネージャ1015および/またはその様々な副構成要素のうちの少なくともいくつかは、限定はしないが、I/O構成要素、トランシーバ、ネットワークサーバ、別のコンピューティングデバイス、本開示で説明する1つまたは複数の他の構成要素、または本開示の様々な態様によるそれらの組合せを含む、1つまたは複数の他のハードウェア構成要素と組み合わせられ得る。
【０１１４】
UE通信マネージャ1015は、UEにサービスする基地局から、基準信号1060を受信することであって、基準信号1060が、第1のタイプの基準信号および第2のタイプの基準信号を含む、ことを行い得る。UE通信マネージャ1015はまた、第1の信号品質しきい値と、UEがRLM関数において、第1のタイプの基準信号または第2のタイプの基準信号のうちの少なくとも1つに、第1の信号品質しきい値を適用することになるとのインジケータとを含む、RLM構成1070を基地局から受信し得る。次いで、UE通信マネージャ1015は、第1のタイプの基準信号の第1の信号品質と、第2のタイプの基準信号の第2の信号品質とを決定すること、RLM関数と、第1の信号品質または第2の信号品質のうちの少なくとも1つとに基づいて、UEが基地局との通信のために同期しているか、同期していないかを決定すること、および、UEが同期しているか、同期していないかの決定に基づいて、基地局と通信することを行い得る。場合によっては、基地局との通信は、信号品質情報1080の送信を含み得る。
RLM構成は、RLM関数を含み得、RLM関数は、何の基準信号タイプおよびしきい値をRLMにおいて使用するかを示し得る。
【０１１５】
送信機1020は、デバイスの他の構成要素によって生成される信号を送信し得る。いくつかの例では、送信機1020は、トランシーバモジュール内で受信機1010とコロケートされてよい。たとえば、送信機1020は、図12を参照しながら説明するトランシーバ1235の態様の一例であり得る。送信機1020は、単一のアンテナまたはアンテナのセットを利用し得る。
【０１１６】
一例では、ワイヤレスデバイス1005は、基地局から、第1のタイプの基準信号および第2のタイプの基準信号など、基準信号1060を受信し得るUEであり得る。第1のタイプの基準信号は、同期信号(たとえば、NR同期信号(NR-SS))であり得、第2のタイプの基準信号は、CSI-RSであり得る。追加として、第1のタイプの基準信号は、復調基準信号であり得、第2のタイプの基準信号は、UE固有の基準信号であり得る。さらに、第1のタイプの基準信号は、ビームフォーミングされない基準信号(たとえば、ビームフォーミングされないCSI-RS)であり得、第2のタイプの基準信号は、ビームフォーミングされた基準信号(たとえば、ビームフォーミングされたCSI-RS)であり得る。
【０１１７】
次いで、UEは、受信された信号のうちの一方または両方に基づいて、RLMを実行し得る。場合によっては、RLMは、UEによって受信された異なるタイプの基準信号に関連付けられた信号品質メトリックに基づき得る。追加として、UEは、限定はしないが、基準信号受信電力(RSRP)、基準信号受信品質(RSRQ)、SNRなどを含む信号品質など、信号品質情報1080を送信し得る。
【０１１８】
図11は、本開示の様々な態様による、複数の基準信号に基づくRLMをサポートするワイヤレスデバイス1105のブロック図1100を示す。ワイヤレスデバイス1105は、図10を参照しながら説明したようなワイヤレスデバイス1005またはUE115の態様の一例であり得る。ワイヤレスデバイス1105は、受信機1110と、UE通信マネージャ1115と、送信機1120とを含み得る。ワイヤレスデバイス1105はまた、プロセッサを含み得る。これらの構成要素の各々は、(たとえば、1つまたは複数のバスを介して)互いに通信中であり得る。
【０１１９】
受信機1110は、パケット、ユーザデータ、または様々な情報チャネル(たとえば、制御チャネル、データチャネル、および複数の基準信号に基づくRLMに関する情報など)に関連付けられた制御情報などの情報を受信し得る。情報はデバイスの他の構成要素に渡され得る。受信機1110は、図12を参照しながら説明するトランシーバ1235の態様の一例であり得る。受信機1110は、単一のアンテナまたはアンテナのセットを利用し得る。
【０１２０】
UE通信マネージャ1115は、図12を参照しながら説明するUE通信マネージャ1215の態様の一例であり得る。UE通信マネージャ1115は、基準信号マネージャ1125と、RLM構成マネージャ1130と、信号品質決定器1135と、RLMマネージャ1140とを含み得る。
【０１２１】
基準信号マネージャ1125は、UEにサービスする基地局から、第1のタイプの基準信号および第2のタイプの基準信号を含む、基準信号1160を受信し得る。場合によっては、第1のタイプの基準信号は、同期信号を含み、第2のタイプの基準信号は、チャネル状態情報基準信号を含む。場合によっては、第1のタイプの基準信号は、ブロードキャストチャネルのための復調基準信号を含み、第2のタイプの基準信号は、UE固有の基準信号を含む。場合によっては、第1のタイプの基準信号は、ビームフォーミングされないチャネル状態情報基準信号を含み、第2のタイプの基準信号は、ビームフォーミングされたチャネル状態情報基準信号を含む。RLM構成マネージャ1130は、第1の信号品質しきい値と、UEがRLM関数において、第1のタイプの基準信号または第2のタイプの基準信号のうちの少なくとも1つに、第1の信号品質しきい値を適用することになるとのインジケータとを含む、RLM構成1170を基地局から受信し得る。RLM構成1170は、RLM関数を含み得、RLM関数は、何の基準信号タイプおよびしきい値をRLMにおいて使用するかを示し得る。信号品質決定器1135は、第1のタイプの基準信号の第1の信号品質と、第2のタイプの基準信号の第2の信号品質とを決定し得る。
【０１２２】
RLMマネージャ1140は、RLM関数と、第1の信号品質または第2の信号品質のうちの少なくとも1つとに基づいて、UEが基地局との通信のために同期しているか、同期していないかを決定し得る。次いで、RLMマネージャ1140は、UEが同期しているか、同期していないかの決定に基づいて、基地局と通信し得る。場合によっては、RLMマネージャ1140は、第1の信号品質および第2の信号品質のうちの最大信号品質を決定し、最大信号品質を第1の信号品質しきい値と比較することに基づいて、UEが同期しているか、同期していないかを決定し得る。場合によっては、RLMマネージャ1140は、第1の信号品質および第2の信号品質に基づいて、最小ブロックエラーレートを決定し、最小ブロックエラーレートを、構成されたブロックエラーレートしきい値と比較することに基づいて、UEが同期しているか、同期していないかを決定し得る。場合によっては、RLMマネージャ1140は、第1の信号品質および第2の信号品質を結合し、結合された信号品質を第1の信号品質しきい値と比較することに基づいて、UEが同期しているか、同期していないかを決定し得る。場合によっては、信号品質情報1180が基地局に報告され得る。
【０１２３】
場合によっては、RLM構成1170は、第2の信号品質しきい値を含み、UEが同期しているか、同期していないかを決定することは、第1の信号品質が第1の信号品質しきい値を下回るとの決定に基づいて、UEが同期していないと決定すること、または、第1の信号品質が第1の信号品質しきい値を下回り、第2の信号品質が第2の信号品質しきい値を下回るとの決定に基づいて、UEが同期していないと決定することを含む。場合によっては、RLM構成1170は、第2の信号品質しきい値を含み、UEが同期しているか、同期していないかを決定することは、第1の信号品質が第1の信号品質しきい値を上回るとの決定に基づいて、UEが同期していると決定すること、あるいは、第1の信号品質が第1の信号品質しきい値を上回るか、または第2の信号品質が第2の信号品質しきい値を上回るか、または両方であるかの決定に基づいて、UEが同期していると決定することを含む。
【０１２４】
場合によっては、RLMマネージャ1140は、第1のタイプの基準信号の周期性が周期性しきい値よりも大きいと決定し、第2の信号品質に基づいて、UEが同期しているか、同期していないかを決定し得る。場合によっては、RLMマネージャ1140は、第2のタイプの基準信号の周期性が周期性しきい値よりも大きいと決定し、第1の信号品質に基づいて、UEが同期しているか、同期していないかを決定し得る。
【０１２５】
送信機1120は、デバイスの他の構成要素によって生成される信号を送信し得る。いくつかの例では、送信機1120は、トランシーバモジュール内で受信機1110とコロケートされてよい。たとえば、送信機1120は、図12を参照しながら説明するトランシーバ1235の態様の一例であり得る。送信機1120は、単一のアンテナまたはアンテナのセットを利用し得る。
【０１２６】
図12は、本開示の様々な態様による、複数の基準信号に基づくRLMをサポートするデバイス1205を含むシステム1200の図を示す。デバイス1205は、たとえば、図1を参照しながら上記で説明したようなUE115の構成要素の一例であり得るか、またはそれらを含み得る。デバイス1205は、UE通信マネージャ1215と、プロセッサ1220と、メモリ1225と、ソフトウェア1230と、トランシーバ1235と、アンテナ1240と、I/Oコントローラ1245とを含む、通信を送信および受信するための構成要素を含む、双方向音声およびデータ通信のための構成要素を含み得る。これらの構成要素は、1つまたは複数のバス(たとえば、バス1210)を介して電子通信中であり得る。デバイス1205は、1つまたは複数の基地局105とワイヤレス通信し得る。
【０１２７】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1220は、メモリコントローラを使用して、メモリアレイを動作させるように構成され得る。他の場合には、メモリコントローラは、プロセッサ1220内に統合され得る。プロセッサ1220は、様々な機能(たとえば、複数の基準信号に基づくRLMをサポートする機能またはタスク)を実行するために、メモリ内に記憶されたコンピュータ可読命令を実行するように構成され得る。
【０１２８】
メモリ1225は、RAMおよびROMを含み得る。メモリ1225は、実行されると、本明細書で説明する様々な機能をプロセッサに実行させる命令を含む、コンピュータ可読、コンピュータ実行可能ソフトウェア1230を記憶し得る。場合によっては、メモリ1225は、特に、周辺構成要素または周辺デバイスとの相互作用など、基本的なハードウェア動作またはソフトウェア動作を制御し得るBIOSを含み得る。
【０１２９】
ソフトウェア1230は、複数の基準信号に基づくRLMをサポートするためのコードを含む、本開示の態様を実装するためのコードを含み得る。ソフトウェア1230は、システムメモリまたは他のメモリなど、非一時的コンピュータ可読媒体内に記憶され得る。場合によっては、ソフトウェア1230は、プロセッサによって直接実行可能ではないことがあるが、(たとえば、コンパイルされ、実行されると)本明細書で説明する機能をコンピュータに実行させることができる。
【０１３０】
トランシーバ1235は、上記で説明したような1つまたは複数のアンテナ、ワイヤードリンク、またはワイヤレスリンクを介して双方向に通信することができる。たとえば、トランシーバ1235は、ワイヤレストランシーバを表すことがあり、別のワイヤレストランシーバと双方向に通信し得る。トランシーバ1235はまた、パケットを変調し、変調されたパケットを送信のためにアンテナに与えるための、およびアンテナから受信されたパケットを復調するためのモデムを含み得る。
【０１３１】
場合によっては、ワイヤレスデバイスは、単一のアンテナ1240を含み得る。ただし、場合によっては、デバイスは、2つ以上のアンテナ1240を有することがあり、2つ以上のアンテナ1240は、複数のワイヤレス送信を並行して送信または受信することが可能であり得る。
【０１３２】
I/Oコントローラ1245は、デバイス1205のための入力および出力の信号を管理し得る。I/Oコントローラ1245はまた、デバイス1205の中に統合されない周辺機器を管理し得る。場合によっては、I/Oコントローラ1245は、外部周辺機器への物理接続またはポートを表し得る。場合によっては、I/Oコントローラ1245は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ1245は、モデム、キーボード、マウス、タッチスクリーン、または同様のデバイスを表すか、またはそれと対話し得る。場合によっては、I/Oコントローラ1245は、プロセッサの一部として実装され得る。場合によっては、ユーザは、I/Oコントローラ1245を介して、またはI/Oコントローラ1245によって制御されたハードウェア構成要素を介して、デバイス1205と対話し得る。
【０１３３】
図13は、本開示の様々な態様による、複数の基準信号に基づくRLMをサポートするワイヤレスデバイスのための方法1300を示すフローチャートを示す。方法1300の動作は、本明細書で説明するように、UEまたはその構成要素によって実装され得る。たとえば、方法1300の動作は、図2〜図5を参照しながら説明したように、UEによって実行され得る。いくつかの例では、ワイヤレスデバイスは、本明細書で説明するようなUE115の態様の一例であり得る。ワイヤレスデバイスは、少なくとも受信機と、UE通信マネージャと、送信機とを含み得る。ワイヤレスデバイスはまた、プロセッサを含み得る。これらの構成要素の各々は、(たとえば、1つまたは複数のバスを介して)互いに通信中であり得る。
【０１３４】
ブロック1305で、UEは、UEにサービスする基地局から、第1のタイプの基準信号と、第2のタイプの基準信号とを受信し得る。基地局が受信し得る第1のタイプの基準信号は、同期信号(たとえば、NR同期信号(NR-SS))であり得、基地局が受信し得る第2のタイプの基準信号は、CSI-RSであり得る。追加として、第1のタイプの基準信号は、復調基準信号であり得、第2のタイプの基準信号は、UE固有の基準信号であり得る。さらに、第1のタイプの基準信号は、ビームフォーミングされない基準信号(たとえば、ビームフォーミングされないCSI-RS)であり得、第2のタイプの基準信号は、ビームフォーミングされた基準信号(たとえば、ビームフォーミングされたCSI-RS)であり得る。ブロック1305の動作は、本明細書で説明する方法に従って実行され得る。いくつかの例では、ブロック1305の動作の態様は、図11を参照しながら説明したように、受信機および/または基準信号マネージャによって実行され得る。第1のタイプの基準信号および第2のタイプの基準信号は、UEにおけるトランシーバの一部であり得る受信機によって受信され得る。受信機は、単一のアンテナまたはアンテナのセットを使用し得る。
【０１３５】
ブロック1310で、UEは、第1の信号品質しきい値と、UEが無線リンク監視(RLM)関数において、第1のタイプの基準信号または第2のタイプの基準信号のうちの少なくとも1つに、第1の信号品質しきい値を適用することになるとのインジケータとを備える、RLM構成を基地局から受信し得る。ブロック1310の動作は、本明細書で説明する方法に従って実行され得る。いくつかの例では、ブロック1310の動作の態様は、図11を参照しながら説明したように、受信機および/または基準信号マネージャによって実行され得る。一例では、RLM構成は、RLM関数を含み得る。RLM関数では、UEは、第1の信号品質および第2の信号品質のうちの最大信号品質を決定し得、UEは、(たとえば、指定された持続時間にわたる)最大信号品質を(たとえば、事前構成されたしきい値であり得るか、または基地局によって構成され得る)信号品質しきい値と比較することに基づいて、UEが同期しているか、同期していないかを決定し得る。
【０１３６】
ブロック1315で、UEは、第1のタイプの基準信号の第1の信号品質と、第2のタイプの基準信号の第2の信号品質とを決定し得る。第1のタイプの基準信号および/または第2のタイプの基準信号のための第1の信号品質および第2の信号品質は、一例では、基準信号受信電力(RSRP)、基準信号受信品質(RSRQ)、SNRなどであり得る。場合によっては、信号品質を決定するためのRLM構成は、UEにおいてビーム管理を担う下位レイヤ(たとえば、レイヤ1(L1)またはレイヤ2(L2))の構成であり得る。他の場合には、信号品質を決定するためのRLM構成は、UEにおいてモビリティを担う上位レイヤ(たとえば、レイヤ3(L3))の構成であり得る。ブロック1315の動作は、本明細書で説明する方法に従って実行され得る。いくつかの例では、ブロック1315の動作の態様は、図11を参照しながら説明したように、信号品質決定器構成要素によって実行され得る。
【０１３７】
ブロック1320で、UEは、RLM関数と、第1の信号品質または第2の信号品質のうちの少なくとも1つとに少なくとも部分的に基づいて、UEが基地局との通信のために同期しているか、同期していないかを決定し得る。ブロック1320の動作は、本明細書で説明する方法に従って実行され得る。いくつかの例では、ブロック1320の動作の態様は、図11を参照しながら説明したように、RLMマネージャによって実行され得る。概説すると、UEが同期していることがあるか、同期していないことがあるかを決定することは、第1の信号品質が第1の信号品質しきい値を下回り得るとの決定に少なくとも部分的に基づいて、UEが同期していないことがあると決定すること、または、第1の信号品質が第1の信号品質しきい値を下回り得、第2の信号品質が第2の信号品質しきい値を下回り得るとの決定に少なくとも部分的に基づいて、UEが同期していないことがあると決定することを含み得る。一例では、UEは、(たとえば、指定された持続時間にわたる)最大信号品質を(たとえば、事前構成されたしきい値であり得るか、または基地局によって構成され得る)信号品質しきい値と比較することに基づいて、UEが同期しているか、同期していないかを決定し得る。別の例では、UEは、(たとえば、指定された持続時間にわたる)最小BLERを(たとえば、基地局によって構成された)BLERしきい値と比較することに基づいて、UEが同期しているか、同期していないかを決定し得る。また別の例では、UEは、第1の信号品質が第1の信号品質しきい値を下回るとの決定に基づいて、UEが同期していないと決定し得る。
【０１３８】
ブロック1325で、UEは、UEが同期しているか、同期していないかの決定に少なくとも部分的に基づいて、基地局と通信し得る。ブロック1325の動作は、本明細書で説明する方法に従って実行され得る。いくつかの例では、ブロック1325の動作の態様は、図11を参照しながら説明したように、RLMマネージャによって実行され得る。概して、UEは、基地局から受信されたRLM構成、および/または第1の信号品質、第2の信号品質、もしくは両方に基づいて、UEが基地局との通信のために同期しているか、同期していないかを決定し得る。
【０１３９】
上記で説明した方法が可能な実装形態について説明していること、動作およびステップが再構成されてよく、または他の方法で修正されてよいこと、ならびに他の実装形態が可能であることに留意されたい。さらに、方法のうちの2つ以上からの態様が組み合わせられ得る。
【０１４０】
本明細書で説明した技法は、符号分割多元接続(CDMA(登録商標))、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、ユニバーサル地上無線アクセス(UTRA)などの無線技術を実装し得る。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(登録商標)(WCDMA(登録商標))およびCDMA(登録商標)の他の変形態を含む。TDMAシステムは、モバイル通信用グローバルシステム(GSM(登録商標))などの無線技術を実装し得る。
【０１４１】
OFDMAシステムは、ウルトラモバイルブロードバンド(UMB)、発展型UTRA(E-UTRA)、米国電気電子技術者協会(IEEE)802.11(Wi-Fi)、IEEE 802.16(WiMAX)、IEEE 802.20、Flash-OFDMなどの無線技術を実装し得る。UTRAおよびE-UTRAは、ユニバーサルモバイルテレコミュニケーションズシステム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述のシステムおよび無線技術、ならびに他のシステムおよび無線技術に使用され得る。LTEまたは5Gシステムの態様について例として説明することがあり、説明の大部分においてLTEまたは5G用語が使用されることがあるが、本明細書で説明した技法は、LTEまたは5G適用例以外に適用可能である。
【０１４２】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられ得、スモールセルは、マクロセルと同じまたはマクロセルとは異なる(たとえば、認可、無認可など)周波数帯域において動作し得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セルをサポートし得、1つまたは複数のコンポーネントキャリアを使用する通信もサポートし得る。
【０１４３】
本明細書で説明する1つまたは複数のワイヤレス通信システム100は、同期動作または非同期動作をサポートし得る。同期動作の場合、基地局105は、同様のフレームタイミングを有し得、異なる基地局105からの送信は、時間的にほぼ整合され得る。非同期動作の場合、基地局105は、異なるフレームタイミングを有し得、異なる基地局105からの送信は、時間的に整合されないことがある。本明細書で説明する技法は、同期動作または非同期動作のいずれかに使用され得る。
【０１４４】
本明細書で説明する情報および信号は、多種多様な技術および技法のいずれかを使用して表され得る。たとえば、上記の説明全体にわたって言及され得るデータ、命令、コマンド、情報、信号、ビット、シンボルおよびチップは、電圧、電流、電磁波、磁場もしくは磁性粒子、光場または光学粒子、またはそれらの任意の組合せによって表され得る。
【０１４５】
本明細書の本開示に関して説明する様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替的には、プロセッサは、任意の従来のプロセッサ、コントローラ、マイクロコントローラ、またはステートマシンであり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１４６】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装されてもよい。機能を実装する特徴はまた、機能の部分が異なる物理的ロケーションにおいて実装されるように分散されることを含めて、様々な位置に物理的に配置され得る。
【０１４７】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ここで、ディスク(disk)は通常、データを磁気的に再生し、ディスク(disc)はレーザーを用いてデータを光学的に再生する。上記の組合せもコンピュータ可読媒体の範囲内に含まれる。
【０１４８】
特許請求の範囲内を含めて本明細書で使用する場合、項目のリスト(たとえば、「のうちの少なくとも1つ」または「のうちの1つまたは複数」などの句で終わる項目のリスト)において使用する「または」は、たとえば、A、B、またはCのうちの少なくとも1つのリストがAまたはBまたはCまたはABまたはACまたはBCまたはABC(たとえば、AおよびBおよびC)を意味するような包括的リストを示す。また、本明細書で使用する「に基づいて」という句は、条件の閉集合を参照するものと解釈されるべきではない。たとえば、「条件Aに基づいて」として説明された例示的なステップは、本開示の範囲から逸脱することなく、条件Aと条件Bの両方に基づき得る。言い換えれば、本明細書で使用する「に基づいて」という句は、「に少なくとも部分的に基づいて」という句と同様に解釈されるべきである。
【０１４９】
添付の図では、同様の構成要素または特徴は、同じ参照ラベルを有し得る。さらに、同じタイプの様々な構成要素が、参照ラベルの後にダッシュと、同様の構成要素を区別する第2のラベルとを続けることによって、区別され得る。第1の参照ラベルのみが本明細書で使用される場合、説明は、第2の参照ラベルまたは他の後続の参照ラベルにかかわらず、同じ第1の参照ラベルを有する同様の構成要素のうちのいずれにも適用可能である。
【０１５０】
添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示として働くこと」ことを意味し、「好ましい」または「他の例よりも有利な」を意味するものではない。発明を実施するための形態は、説明した技法の理解をもたらすための具体的な詳細を含む。しかしながら、これらの技法は、これらの具体的な詳細なしで実践され得る。いくつかの事例では、説明した例の概念を不明瞭にすることを回避するために、よく知られている構造およびデバイスがブロック図の形態で示されている。
【０１５１】
本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。したがって、本開示は本明細書で説明した例および設計に限定されず、本明細書で開示する原理および新規の特徴と一致する最も広い範囲が与えられるべきである。
【符号の説明】
【０１５２】
100、200  ワイヤレス通信システム
105、105-a、105-b  基地局
110  地理的カバレージエリア
110-a  カバレージエリア
115、115-a、115-b  UE
125  通信リンク
130  コアネットワーク
132、134  バックホールリンク
205  第1のタイプの基準信号
210  第2のタイプの基準信号
305  第1の周期性
310  第2の周期性
400  C-DRXサイクル
405  ON持続時間
410  OFF持続時間
605、705、1005、1105  ワイヤレスデバイス
610、710、1010、1110  受信機
615、715、815、915  基地局通信マネージャ
620、720、1020、1120  送信機
650、750  情報
660、760、1070、1170  RLM構成
670、770、1060、1160  基準信号
725、820、1125  基準信号マネージャ
730、825  信号品質メトリック識別器
735、830、1130  RLM構成マネージャ
835  UE報告マネージャ
840  SRSマネージャ
845  アンテナポート構成マネージャ
850  リソースマネージャ
900、1200  システム
905、1205  デバイス
910、1210  バス
920、1220  プロセッサ
925、1225  メモリ
930、1230  ソフトウェア、コンピュータ可読、コンピュータ実行可能ソフトウェア
935、1235  トランシーバ
940、1240  アンテナ
945  ネットワーク通信マネージャ
950  局間通信マネージャ
1015、1115、1215  UE通信マネージャ
1080、1180  信号品質情報
1135  信号品質決定器
1140  RLMマネージャ
1245  I/Oコントローラ
【図１】
2020532172.tif 000003
【図２】
2020532172.tif 000004
【図３】
2020532172.tif 000005
【図４】
2020532172.tif 000006
【図５】
2020532172.tif 000007
【図６】
2020532172.tif 000008
【図７】
2020532172.tif 000009
【図８】
2020532172.tif 000010
【図９】
2020532172.tif 000011
【図１０】
2020532172.tif 000012
【図１１】
2020532172.tif 000013
【図１２】
2020532172.tif 000014
【図１３】
2020532172.tif 000015
【国際調査報告】
2020532172.tif 000016
2020532172.tif 000017
2020532172.tif 000018